(57)【要約】  本発明は、悪臭低減組成物を含む製品、およびこのような製品を製造し、使用する方法に関する。このような悪臭低減組成物は、このような悪臭低減組成物を含む芳香を放つ製品または芳香を放たない製品、およびこのような製品で処理された芳香を放つ場所または芳香を放たない場所の香りを過度に妨害しない。【特許請求の範囲】
【請求項１】
製品であって、好ましくは、前記製品が、粉末、顆粒、フレーク、棒状物または球状物であり、前記製品が、
（ａ）Ｂｌｏｃｋｅｒ  Ｉｎｄｅｘが３未満、さらに好ましくは、約２．５未満、さらになお好ましくは、約２未満、なおさらに好ましくは、約１未満、最も好ましくは、０であるか、またはＢｌｏｃｋｅｒ  Ｉｎｄｅｘの平均が３〜約０．００１であり、好ましくは、悪臭低減材料の少なくとも一部がカプセル化されている、総量の約０．００１％〜約２０％、好ましくは約０．００５％〜約１０％、さらに好ましくは、約０．０２５％〜約１％、最も好ましくは、約０．０５％〜約０．５％の１〜約３０種類の悪臭低減材料、好ましくは、１〜約２５種類の悪臭低減材料、さらに好ましくは、１〜約１５種類の悪臭低減材料、最も好ましくは、約１〜約１０種類の悪臭低減材料と；
（ｂ）２５℃で固体であり、好ましくは、クレイ、糖類、塩類、シリケート、ゼオライト、クエン酸、マレイン酸、コハク酸、安息香酸、尿素およびポリエチレンオキシドおよびこれらの混合物からなる群から選択され、好ましくは、
（ｉ）約２０％〜約９５％、さらに好ましくは、約３０％〜約９０％、さらになお好ましくは、約４５％〜約９０％、最も好ましくは、約６０％〜約８８％；または
（ｉｉ）約１％〜約６０％、さらに好ましくは、約２％〜約５０％、さらになお好ましくは、約３％〜約４５％、最も好ましくは、約４％〜約４０％
の濃度で存在する、担体と；
（ｃ）場合により、０．５％〜約５０％の酵素に安定なポリマー、好ましくは、ポリアクリレートポリマー、ポリアミンポリマー、アクリレート／マレエートコポリマー、多糖、およびこれらの混合物からなる群から選択され、好ましくは、前記多糖が、カルボキシメチルセルロース、カチオン性ヒドロキシエチルセルロースおよびこれらの混合物からなる群から選択される、酵素に安定なポリマーと
を含む、製品。
【請求項２】
前記悪臭低減材料は、Ｆｒａｇｒａｎｃｅ  Ｆｉｄｅｌｉｔｙ  Ｉｎｄｅｘが３未満、さらに好ましくは、２．５未満、さらになお好ましくは、２未満、なおさらに好ましくは、１未満、最も好ましくは、０であるか、またはＦｒａｇｒａｎｃｅ  Ｆｉｄｅｌｉｔｙ  Ｉｎｄｅｘの平均が３〜０．００１であるＦｒａｇｒａｎｃｅ  Ｆｉｄｅｌｉｔｙ  Ｉｎｄｅｘを有する、請求項１に記載の製品。
【請求項３】
香料を含む、請求項１または２に記載の製品。
【請求項４】
前記組成物は、悪臭低減組成物と香料の対の重量比が、約１：２０，０００〜約３０００：１、好ましくは、約１：１０，０００〜約１，０００：１、さらに好ましくは、約５，０００：１〜約５００：１、最も好ましくは、約１：１５〜約１：１である、請求項１〜３のいずれか一項に記載の製品。
【請求項５】
前記製品は、ｌｏｇ  Ｐが３より大きく、好ましくは、３より大きいが８未満の１つ以上の悪臭低減材料を含み、
好ましくは、前記１つ以上の悪臭低減材料が、２−エチルヘキシル（Ｚ）−３−（４−メトキシフェニル）アクリレート；２，４−ジメチル−２−（５，５，８，８−テトラメチル−５，６，７，８−テトラヒドロナフタレン−２−イル）−１，３−ジオキソラン；１，１−ジメトキシノン−２−イン；３−メトキシ−７，７−ジメチル−１０−メチレンビシクロ［４．３．１］デカン；メトキシシクロデカン；１，１−ジメトキシシクロドデカン；（Ｚ）−トリデカ−２−エンニトリル；（２−ヒドロキシ−４−メトキシフェニル）（フェニル）メタノン；２，４ａ，５，８ａ−テトラメチル−１，２，３，４，４ａ，７，８，８ａ−オクタヒドロナフタレン−１−イルホルメート；１，８−ジオキサシクロヘプタデカン−９−オン；４−（ｔｅｒｔ−ペンチル）シクロヘキサン−１−オン；２−メトキシ−１，１’−ビフェニル；３ａ，５，６，７，８，８ｂ−ヘキサヒドロ−２，２，６，６，７，８，８−ヘプタメチル−４Ｈ−インデノ（４，５−ｄ）−１，３−ジオキソール；７−イソプロピル−８，８−ジメチル−６，１０−ジオキサスピロ［４．５］デカン；オクチルフラン−２−カルボキシレート；酢酸オクチル；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−イルアセテート；テトラデカナール；テトラデカンニトリル；２，２，６，８−テトラメチル−１，２，３，４，４ａ，５，８，８ａ−オクタヒドロナフタレン−１−オール；
２−（（１Ｓ，５Ｒ）−６，６−ジメチルビシクロ［３．１．１］ヘプタ−２−エン−２−イル）エチルアセテート；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；１２−メチル−１４−テトラデカ−９−エノリド；Ｎ−エチル−２−イソプロピル−５−メチルシクロヘキサン−１−カルボキサミド；２−メトキシナフタレン；（Ｅ）−３，７，１１−トリメチルドデカ−１，６，１０−トリエン−３−オール；（Ｚ）−３，７−ジメチルオクタ−２，６−ジエン−１−オール；メチル（Ｅ）−ノナ−２−エノエート；１０−イソプロピル−２，７−ジメチル−１−オキサスピロ［４．５］デカ−３，６−ジエン；２−（２−（４−メチルシクロヘキサ−３−エン−１−イル）プロピル）シクロペンタン−１−オン；（Ｅ）−４−（２，２，３，６−テトラメチルシクロヘキシル）ブタ−３−エン−２−オン；（４−（４−メチルペンタ−３−エン−１−イル）シクロヘキサ−３−エン−１−イル）メチルアセテート；２−（ｔｅｒｔ−ブチル）−４，５，６−トリメチル−１，３−フェニレン二亜硝酸塩；１，７−ジオキサシクロヘプタデカン−８−オン；１−（４−（ｔｅｒｔ−ブチル）−２，６−ジメチル−３，５−ジニトロフェニル）エタン−１−オン；１−（ｔｅｒｔ−ブチル）−２−メトキシ−４−メチル−３，５−ジニトロベンゼン；３−メチルシクロペンタデカン−１−オン；（Ｅ）−３−メチルシクロペンタデカ−４−エン−１−オン；１−（４−イソプロピルシクロヘキシル）エタン−１−オール；（Ｅ）−デカ−５−エン酸；メチルノナ−２−イノエート；２−メチルデカナール；６，６−ジメトキシ−２，５，５−トリメチルヘキサ−２−エン；ステアリン酸メチル；１，１−ジメトキシ−２−メチルウンデカン；ウンデカン−２−オン；２−メチルウンデカナール；テトラデカン酸メチル；メチル（９Ｚ，１２Ｚ）−オクタデカ−９，１２−ジエノエート；パルミチン酸メチル；１−メチル−２−フェノキシベンゼン；１−アリル−４−メトキシベンゼン；１−（ナフタレン−２−イル）エタン−１−オン；メチルオクタ−２−イノエート；２，６，６−トリメチルシクロヘキサ−２−エン−１−カルボン酸メチル；７−イソプロピル−１０−メチル−１，５−ジオキサスピロ［５．５］ウンデカン−３−オール；３−（３−（ｔｅｒｔ−ブチル）フェニル）−２−メチルプロパナール；（Ｅ）−４−（４，８−ジメチルノナ−３，７−ジエン−１−イル）ピリジン；（Ｅ）−トリデカ−３，１２−ジエンニトリル；２，２−ジメチル−３−（ｍ−トリル）プロパン−１−オール；８−イソプロピル−６−メチルビシクロ２．２．２］オクタ−５−エン−２−カルボアルデヒド；（Ｓ）−１−メチル−４−（プロパ−１−エン−２−イル）シクロヘキサ−１−エン；３，７−ジメチルオクタ−１，６−ジエン−３−イルオクタノエート；３，７−ジメチルオクタ−１，６−ジエン−３−イルイソブチレート；３，７−ジメチルオクタ−１，６−ジエン−３−イルベンゾエート；３，７−ジメチルオクタ−１，６−ジエン−３−イル２−アミノベンゾエート；（２Ｚ，６Ｅ）−３，７−ジメチルノナ−２，６−ジエンニトリル；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；ドデカン−１−オール；酢酸ドデシル；ドデカン酸；
５−ヘキシル−５−メチルジヒドロフラン−２（３Ｈ）−オン；ドデカナール；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；５−（ｓｅｃ−ブチル）−２−（２，４−ジメチルシクロヘキサ−３−エン−１−イル）−５−メチル−１，３−ジオキサン；（１−メチル−２−（（１，２，２−トリメチルビシクロ［３．１．０］ヘキサン−３−イル）メチル）シクロプロピル）メタノール；２−プロピルヘプタンニトリル；２−ヘキシルシクロペンタン−１−オン；２，６，９，１０−テトラメチル−１−オキサスピロ（４．５）デカ−３，６−ジエン；パルミチン酸イソプロピル；テトラデカン酸イソプロピル；ドデカン酸イソプロピル；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルボアルデヒド；（Ｚ）−１−ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；６−（ｓｅｃ−ブチル）キノリン；２−（シクロヘキシルオキシ）−１，７，７−トリメチルビシクロ［２．２．１］ヘプタン；（１Ｒ，２Ｒ，４Ｓ）−１，７，
７−トリメチルビシクロ［２．２．１］ヘプタン−２−イルプロピオオネート；（１Ｓ，２Ｓ，４Ｓ）−１，７，７−トリメチルビシクロ［２．２．１］ヘプタン−２−イルイソブチレート；４−（（２Ｒ）−１，７，７−トリメチルビシクロ［２．２．１］ヘプタン−２−イル）シクロヘキサン−１−オール；（１Ｒ，４Ｓ）−１，７，７−トリメチルビシクロ［２．２．１］ヘプタン−２−イルアセテート；２−（４−イソプロピルシクロヘキサ１，４−ジエン−１−イル）エチルホルメート；イソペンチル（Ｅ）−ウンデカ−６−エノエート；ドデカン酸イソペンチル；（Ｅ）−オキサシクロヘプタデカ−１０−エン−２−オン；（Ｅ）−ノナ−２−エンニトリル；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；２−シクロドデシルプロパン−１−オール；３−メチル−５−フェニルペンタンニトリル；２，３−ジヒドロ−３，３−ジメチル−１Ｈ−インデン−５−プロパナール；３−（３，３−ジメチル−２，３−ジヒドロ−１Ｈ−インデン−５−イル）プロパナール；オクタン酸ヘキシル；ヘキサン酸ヘキシル；（Ｚ）−２−ベンジリデンオクタナール；安息香酸ヘキシル；（Ｚ）−ヘキサ−１−エン−１−イル（Ｚ）−２−メチルブタ−２−エノエート；（Ｅ）−３，７−ジメチルオクタ−２，６−ジエン−１−イルパルミテート；オキサシクロヘプタデカン−２−オン；（１Ｒ，２Ｒ，３Ｒ，４Ｒ）−３−イソプロピルビシクロ［２．２．１］ヘプタ−５−エン−２−カルボン酸エチル；２−（１−（３，３−ジメチルシクロヘキシル）エトキシ）−２−メチルプロピルプロピオネート；（Ｅ）−オキサシクロヘキサデカ−１３−エン−２−オン；６−ブチル−２，４−ジメチル−３，６−ジヒドロ−２Ｈ−ピラン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；２−エチル−６，６−ジメチルシクロヘキサ−２−エン−１−カルボン酸エチル；（１Ｚ，５Ｚ）−１，５−ジメチル−８−（プロパン−２−イリデン）シクロデカ−１，５−ジエン；（１Ｅ，６Ｅ）−８−イソプロピル−１−メチル−５−メチレンシクロデカ−１，６−ジエン；（Ｅ）−３，７−ジメチルオクタ−２，６−ジエン−１−イル２−フェニルアセテート；（Ｅ）−３，７−ジメチルオクタ−２，６−ジエン−１−イル２−フェニルアセテート；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−
（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（Ｚ）−４−（２，２−ジメチル−６−メチレンシクロヘキシル）ブタ−３−エン−２−オン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，３ａＲ，４Ｒ，７Ｒ）−１，４−ジメチル−７−（プロパ−１−エン−２−イル）−１，２，３，３ａ，４，５，６，７−オクタヒドロアズレン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；（１Ｒ，４ａＳ，８ａＳ）−１−イソプロピル−７−メチル−４−メチレン−１，２，３，４，４ａ，５，６，８ａ−オクタヒドロナフタレン；１−（３，３−ジメチルシクロヘキシル）ペンタ−４−エン−１−オン；４，６，６，７，８，８−ヘキサメチル−１，３，４，６，７，８−ヘキサヒドロシクロペンタ［ｇ］イソクロメン；フラン−２−イルメチルオクタノエート；フラン−２−イルメチルヘキサノエート；フラン−２−イルメチルヘプタノエート；
２−メチルデカンニトリル；８，８−ジメチル−３ａ，４，５，６，７，７ａ−ヘキサヒドロ−１Ｈ−４，７−メタノインデン−６−イルプロピオネート；（３ａＲ，４Ｓ，７Ｒ，７ａＲ）−オクタヒドロ−３ａＨ−４，７−メタノインデン−３ａ−カルボン酸エチル；（６−イソプロピル−９−メチル−１，４−ジオキサスピロ［４．５］デカン−２−イル）メタノール；ウンデカ−１０−エンニトリル；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；８，８−ジメチル−３ａ，４，５，６，７，７ａ−ヘキサヒドロ−１Ｈ−４，７−メタノインデン−６−イルアセテート；３−（４−エチルフェニル）−２，２−ジメチルプロパンニトリル；２−ヘプチルシクロペンタン−１−オン；１−エトキシエトキシシクロドデカン；３−シクロヘキセン−１−カルボン酸，２，６，６−トリメチル−，メチルエステル；（２Ｅ，６Ｅ）−３，７，１１−トリメチルドデカ−２，６，１０−トリエン−１−イルアセテート；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；１，４−ジオキサシクロヘプタデカン−５，１７−ジオン；エチルウンデカ−１０−エノエート；パルミチン酸エチル；ノナン酸エチル；テトラデカン酸エチル；（Ｅ）−３，７−ジメチルノナ−−１，６−ジエン−３−オール；ドデカン酸エチル；デカン酸エチル；６，６−ジメチル−２−メチレンシクロヘキサ−３−エン−１−カルボン酸エチル；６−エチル−２，１０，１０−トリメチル−１−オキサスピロ［４．５］デカ−３，６−ジエン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（Ｅ）−４−（（３ａＳ，７ａＳ）−オクタヒドロ−５Ｈ−４，７−メタノインデン−５−イリデン）ブタナール；１，１−ジメトキシドデカン；（Ｒ）−１−メチル−４−（プロパ−１−エン−２−イル）シクロヘキサ−１−エン；７，９−ジメチルスピロ［５．５］ウンデカン−３−オン；オキシジベンゼン；ジフェニルメタン；２−メチル−１−フェニルプロパン−２−イルブチレート；オクタヒドロ−１Ｈ−４，７−メタノインデン−５−イルアセテート；
２−メチル−５−（プロパ−１−エン−２−イル）シクロヘキシルアセテート；３，７−ジメチルオクタ−６−エン−３−オール；ジブチルスルファン；１，２−ジフェニルエタン；６−ヘキシルテトラヒドロ−２Ｈ−ピラン−２−オン；（３Ｒ，４Ｒ）−１−イソプロピル−４−メチル−３−（プロパ−１−エン−２−イル）−４−ビニルシクロヘキサ−１−エン；（３Ｓ，３ａＳ，５Ｒ）−３，８−ジメチル−５−（プロパ−１−エン−２−イル）−１，２，３，３ａ，４，５，６，７−オクタヒドロアズレン；６−ヘプチルテトラヒドロ−２Ｈ−ピラン−２−オン；（１Ｓ，８ａＲ）−４，７−ジメチル−１−（プロパン−２−イル）−１，２，３，５，６，８ａ−ヘキサヒドロナフタレン；（Ｚ）−１−（（１Ｒ，２Ｓ）−２，６，６−トリメチルシクロヘキサ−３−エン−１−イル）ブタ−２−エン−１−オン；（１Ｓ，８ａＳ）−１−イソプロピル−４，７−ジメチル−１，２，３，５，６，８ａ−ヘキサヒドロナフタレン；３，７，７−トリメチルビシクロ［４．１．０］ヘプタ−３−エン；デカ−９−エン−１−オール；プロピオン酸デシル；１，１−ジエトキシデカン；１−シクロヘキシルエチル（Ｅ）−ブタ−２−エノアート；３−（４−イソプロピルフェニル）−２−メチルプロパナール；シクロテトラデカン；シクロペンタデカノン；２−ヒドロキシ安息香酸シクロヘキシル；３ａ，４，５，６，７，７ａ−ヘキサヒドロ−１Ｈ−４，７−メタノインデン−６−イルブチレート；８，８−ジメチル−１，２，３，４，５，６，７，８−オクタヒドロナフタレン−２−カルバルデヒド；３ａ，４，５，６，７，７ａ−ヘキサヒドロ−１Ｈ−４，７−メタノインデン−５−イルイソブチレート；（５Ｒ，６Ｒ）−３，６−ジメチル−５−（プロパ−１−エン−２−イル）−６−ビニル−４，５，６，７−テトラヒドロベンゾフラン；２−（３−フェニルプロピル）ピリジン；ドデカンニトリル；（Ｅ）−シクロヘプタデカ−９−エン−１−オン；
３−（４−メチルシクロヘキサ−３−エン−１−イル）ブタ−３−エン−１−イルアセテート；３−（４−メチルシクロヘキサ−３−エン−１−イル）ブタン−１−オール；（Ｅ）−３−メチル−５−フェニルペンタ−２−エンニトリル；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−１，１−ジエトキシ−３，７−ジメチルオクタ−２，６−ジエン；（Ｅ）−３，７−ジメチルオクタ−１，３，６−トリエン；（Ｅ）−オキサシクロヘプタデカ−１１−エン−２−オン；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−ヒドロキシベンゾエート；（Ｚ）−ヘキサ−３−エン−１−イルベンゾエート；（Ｚ）−ヘキサ−３−エン−１−イル２−メチルブタノエート；プロピオン酸シンナミル；イソブタン酸シンナミル；ケイ皮酸シンナミル；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；（３ａＲ，５ａＲ，９ａＲ，９ｂＲ）−３ａ，６，６，９ａ−テトラメチルドデカヒドロナフト［２，１−ｂ］フラン；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；
（４Ｚ，８Ｚ）−１，５，９−トリメチル−１３−オキサビシクロ［１０．１．０］トリデカ−４，８−ジエン；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；５−メチル−１−（２，２，３−トリメチルシクロペンタ−３−エン−１−イル）−６−オキサビシクロ［３．２．１］オクタン；１，１，２，３，３−ペンタメチル−１，２，３，５，６，７−ヘキサヒドロ−４Ｈ−インデン−４−オン；（Ｚ）−４，１１，１１−トリメチル−８−メチレンビシクロ７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカン−１−オール；２−メチル−５−（プロパ−１−エン−２−イル）シクロヘキサ−２−エン−１−イルアセテート；オクタンニトリル；ドデカン酸；デカナール２，２−ジメチル−３−メチレンビシクロ［２．２．１］ヘプタン；２−メチル−４−オキソ−６−ペンチルシクロヘキサ−２−エン−１−カルボン酸エチル；２，６−ジ−ｔｅｒｔ−ブチル−４−メチルフェノール；ステアリン酸ブチル；ブチルウンデカ−１０−エノエート；２−メチル−４−（２，２，３−トリメチルシクロペンタ−３−エン−１−イル）ブタン−１−オール；３−（４−（ｔｅｒｔ−ブチル）フェニル）プロパナール；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；（エトキシメトキシ）シクロドデカン；（Ｅ）−１−メチル−４−（６−メチルヘプタ−５−エン−２−イリデン）シクロヘキサ−１−エン；３，３，６，７−テトラメチルオクタヒドロ−２Ｈ−クロメン；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキシルアセテート；（２Ｚ，６Ｅ）−２，６−ジメチル−１０−メチレンドデカ−２，６，１１−トリエナール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパ−１−エン−２−イル）デカヒドロナフタレン；（Ｚ）−２−メチル−５−（（１Ｓ，２Ｒ，４Ｒ）−２−メチル−３−メチレンビシクロ［２．２．１］ヘプタン−２−イル）ペンタ２−エン−１−オール；６，６−ジメチル−２−メチレンビシクロ［３．１．１］ヘプタン；２−エトキシナフタレン；（１Ｓ，４Ｒ，７Ｒ）−１，４，９，９−テトラメチル−１，２，３，４，５，６，７，８−オクタヒドロ−４，７−メタノアズレン；
（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン；（Ｒ）−３，５，５，９−テトラメチル−２，４ａ，５，６，７，８−ヘキサヒドロ−１Ｈ−ベンゾ［７］アヌレン；（１Ｓ，４Ｓ）−１，４−ジメチル−７−（プロパン−２−イリデン）−１，２，３，４，５，６，７，８−オクタヒドロアズレン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレントリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；（Ｓ）−４−メチル−１−（（Ｓ）−６−メチルヘプタ−５−エン−２−イル）シクロヘキサ−３−エン−１−オール；ドデカン酸ベンジル；ケイ皮酸ベンジル；安息香酸ベンジル；２’−イソプロピル−１，７，７−トリメチルスピロ［ビシクロ［２．２．１］ヘプタン−２，４’−［１，３］ジオキサン］；４−（４−メチルペンタ−３−エン−１−イル）シクロヘキサ−３−エン−１−カルボニトリル；（Ｅ）−２−（（７−ヒドロキシ−３，７−ジメチルオクチリデン）アミノ）安息香酸メチル；４−メトキシベンジル２−フェニルアセテート；（Ｚ）−３−フェニルアクリル酸ペンチル；（３ａＲ，５ａＳ，９ａＳ，９ｂＲ）−３ａ，６，６，９ａ−テトラメチルドデカヒドロナフト［２，１−ｂ］フラン；（４ａＲ，５Ｒ，７ａＳ，９Ｒ）−２，２，５，８，８，９ａ−ヘキサメチルオクタヒドロ−４Ｈ−４ａ，９−メタノアズレノ［５，６−ｄ］［１，３］ジオキソール；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（３Ｓ，５ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン；２，２，６，６，７，８，８−ヘプタメチルデカヒドロ−２Ｈ−インデノ［４，５−ｂ］フラン；２，２，７，７，８，９，９−ヘプタメチルデカヒドロインデノ［４，３ａ−ｂ］フラン；２−（ｓｅｃ−ブチル）−１−ビニルシクロヘキシルアセテート；（４Ｒ，４ａＳ）−４，４ａ−ジメチル−６−（プロパン−２−イリデン）−４，４ａ，５，６，７，８−ヘキサヒドロナフタレン−２（３Ｈ）−オン；２−（４−メチルシクロヘキサ−３−エン−１−イル）プロパン−２−イルプロピオオネート；（２Ｚ，６Ｅ，９Ｅ）−２，６，１０−トリメチルドデカ−２，６，９，１１−テトラエナール；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ３−エン−１−イル）トリシクロ［２．２．１．０２，６］ヘプタン；（Ｅ）−５−（２，３−ジメチルトリシクロ［２．２．１．０２，６］ヘプタン−３−イル）−２−メチルペンタ２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；１−（５，５−ジメチルシクロヘキサ−１−エン−１−イル）ペンタ−４−エン−１−オン；（１Ｓ，４ａＳ，８ａＲ）−１−イソプロピル−４，７−ジメチル−１，２，４ａ，５，６，８ａ−ヘキサヒドロナフタレン；（Ｒ，Ｚ）−１−（２，６，６−トリメチルシクロヘキサ−２−エン−１−イル）ペンタ−１−エン−３−オン；１−メチル−４−（プロパ−１−エン−２−イル）シクロヘキサ−１−エン；（Ｚ）−４−（２，５，６，６−テトラメチルシクロヘキサ−２−エン−１−イル）ブタ−３−エン−２−オン；
（１Ｚ，４Ｅ，８Ｚ）−２，６，６，９−テトラメチルシクロウンデカ−１，４，８−トリエン；（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；１，４−ジメチル−７−（プロパ−１−エン−２−イル）−１，２，３，４，５，６，７，８−オクタヒドロアズレン；（３Ｅ，６Ｅ）−３，７，１１−トリトリメチルドデカ−１，３，６，１０−テトラエン；７，７−ジメチル−２−メチレンビシクロ［２．２．１］ヘプタン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（Ｒ）−１−メチル−４−（６−メチルヘプタ−５−エン−２−イル）ベンゼン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４ａＲ，８ａＲ）−１−イソプロピル−４，７−ジメチル−１，２，４ａ，５，６，８ａ−ヘキサヒドロナフタレン；（Ｒ）−２−（（Ｒ）−４−メチルシクロヘキサ−３−エン−１−イル）ヘキサ−５−エン−２−オール；（Ｚ）−１−メチル−４−（６−メチルヘプタ−２，５−ジエン−２−イル）シクロヘキサ−１−エン；２，６−ジメチル−６−（４−メチルペンタ−３−エン−１−イル）ビシクロ［３．１．１］ヘプタ−２−エン；（Ｅ）−２−ベンジリデンヘプタン−１−オール；（Ｅ）−２−ベンジリデンヘプチルアセテート；（Ｚ）−（２−（ジエトキシメチル）ヘプタ−１−エン−１−イル）ベンゼン；（Ｅ）−２−ベンジリデンヘプタナール；（１Ｓ，４ａＲ，８ａＳ）−１−イソプロピル−４，７−ジメチル−１，２，４ａ，５，６，８ａ−ヘキサヒドロナフタレン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；１−メチル−４−（４−メチルペンタ−３−エン−１−イル）シクロヘキサ−３−エン−１−カルバルデヒド；３−メチル−１−フェニルペンタン−３−オール；２，６，１０−トリメチルウンデカナール；３−シクロヘキシルプロパン酸アリル；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；（Ｅ）−２−（（（３，５−ジメチルシクロヘキサ−３−エン−１−イル）メチレン）アミノ）安息香酸メチル；２，６，１０−トリメチルウンデカ−９−エナール；（７，７，８，８−テトラメチルオクタヒドロ−２，３ｂ−メタノシクロペンタ［１，３］シクロプロパ［１，２］ベンゼン−４−イル）メチルアセテート；酢酸ノニル；（２−（１−プロピルエトキシ）エチル）ベンゼン；（Ｚ）−２−（４−メチルベンジリデン）ヘプタナール；デカ−９−エナール；（Ｚ）−オキサシクロヘプタデカ−８−エン−２−オン；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６−イソプロピルキノリン；３−（６，６−ジメチルビシクロ［３．１．１］ヘプタ−２−エン−２−イル）プロパナール；６，１０，１４−トリメチルペンタデカン−２−オン；（Ｅ）−シクロヘキサデカ−５−エン−１−オン；１−イソプロピル−４−メチルシクロヘキサ−３−エン−１−オール；１−イソプロピル−４−メチルシクロヘキサ−３−エン−１−オール；３，６−ジメチル−４，５，６，７−テトラヒドロベンゾフラン；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；
（Ｅ）−ウンデカ−２−エナール；酪酸フェネチル；（Ｚ）−ノナ−２−エナール；ノナン−２−オール；ノナン−２−オン；２−イソブチルキノリン；（Ｅ）−２−ヘキシリデンシクロペンタン−１−オン；２−ヘプチルテトラヒドロフラン；（Ｅ）−デカ−２−エナール；２，６−ジメチルオクタナール；デカン−１−オール；（Ｅ）−ヘプタ−１−エン−１−イルアセテート；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−６，１０−ジメチルウンデカ−５，９−ジエン−２−イルアセテート；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｅ）−６，１０−ジメチルウンデカ−５，９−ジエン−２−イルアセテート；（Ｚ）−３−メチル−５−フェニルペンタ−２−エンニトリル；（２Ｓ，５Ｓ，６Ｓ）−２，６，１０，１０−テトラメチル−１−オキサスピロ［４．５］デカン−６−オール；（２Ｅ）−３−メチル−５−フェニル−２−ペンテンニトリル；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；２−（８−イソプロピル−６−メチルビシクロ［２．２．２］オクタ−５−エン−２−イル）−１，３−ジオキソラン；（Ｅ）−４−（２，２−ジメチル−６−メチレンシクロヘキシル）−３−メチルブタ−３−エン−２−オン；３−（３−イソプロピルフェニル）ブタナール；３−（１−エトキシエトキシ）−３，７−ジメチルオクタ−１，６−ジエン；３ａ，４，５，６，７，７ａ−ヘキサヒドロ−１Ｈ−４，７−メタノインデン−６−イルプロピオネート；２−（（３Ｓ，３ａＳ，５Ｒ）−３，８−ジメチル−１，２，３，３ａ，４，５，６，７−オクタヒドロアズレン−５−イル）プロパン−２−オール；
２−フェニル酢酸ベンジル；３−（６，６−ジメチルビシクロ［３．１．１］ヘプタ−２−エン−２−イル）−２，２−ジメチルプロパナール；２−メチル−５−（６−メチルヘプタ−５−エン−２−イル）ビシクロ３．１．０］ヘキサ−２−エン；１−（１，１，２，３，３，６−ヘキサメチル−２，３−ジヒドロ−１Ｈ−インデン−５−イル）エタン−１−オン；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；ヘキサン酸ｐ−トリル；５−ヘキシル−４−メチルジヒドロフラン−２（３Ｈ）−オン；エチル（２Ｚ，４Ｅ）−デカ−２，４−ジエノエート；２，４−ジメチル−６−フェニル−３，６−ジヒドロ−２Ｈ−ピラン；２−シクロヘキシリデン−２−フェニルアセトニトリル；（４−（プロパ−１−エン−２−イル）シクロヘキサ−１−エン−１−イル）メチルアセテート；（４−（プロパ−１−エン−２−イル）シクロヘキサ−１−エン−１−イル）メタノール；（２−イソプロピルエチル）ベンゼン；２−シクロヘキシルヘプタ−１，６−ジエン−３−オン；（２−（シクロヘキシルオキシ）エチル）ベンゼン；２−メチル酪酸フェネチル；２−フェニル酢酸フェネチル；安息香酸フェニル；安息香酸フェネチル；２−（６，６−ジメチルビシクロ［３．１．１］ヘプタ−２−エン−２−イル）アセトアルデヒド；３ａ，４，５，６，７，７ａ−ヘキサヒドロ−１Ｈ−４，７−メタノインデン−６−イルピバレート；（Ｅ）−３，３−ジメチル−５−（２，２，３−トリメチルシクロペンタ−３−エン−１−イル）ペンタ−４−エン−２−オール；１−メチル−４−（４−メチルペンタ−３−エン−１−イル）シクロヘキサ−３−エン−１−カルバルデヒド；２−フェニル酢酸ｐ−トリル；エチル２，４，７−デカトリエノエート；２−ベンジル−４，４，６−トリメチル−１，３−ジオキサン；２，４−ジメチル−４−フェニルテトラヒドロフラン；（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］；（Ｚ）−６−エチリデンオクタヒドロ−２Ｈ−５，８−メタノクロメン；２−（（Ｓ）−１−（（Ｓ）−３，３−ジメチルシクロヘキシル）エトキシ）−２−オキソエチルプロピオネート；２，２−ジメチル−６−メチレンシクロヘキサン−１−カルボン酸メチル；４−メチル−２−フェニル−３，６−ジヒドロ−２Ｈ−ピラン；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；１−（３−ヒドロキシ−３−メチルペンタ−４−エン−１−イル）−２，５，５，８ａ−テトラメチルデカヒドロナフタレン−２−オール；（４ａＲ，６ａＳ，１０ａＳ，１０ｂＲ）−３，４ａ，７，７，１０ａ−ペンタメチル−４ａ，５，６，６ａ，７，８，
９，１０，１０ａ，１０ｂ−デカヒドロ−１Ｈ−ベンゾ［ｆ］クロメン；（４ａＲ，８ａＲ）−４ａ，８−ジメチル−２−（プロパン−２−イリデン）−１，２，３，４，４ａ，５，６，８ａ−オクタヒドロナフタレン；２−（１−（３，３−ジメチルシクロヘキシル）エトキシ）−２−メチルプロピルシクロプロパンカルボキシレート；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３−メチル−２−ペンチルシクロペンタン−１−オン；２，６，１０，１０−テトラメチル−１−オキサスピロ［４．５］デカ−６−エン；（１ａＲ，４ａＳ）−２，４ａ，８，８−テトラメチル−１，１ａ，４，４ａ，５，６，７，８−オクタヒドロシクロプロパ［ｄ］ナフタレン；１−イソプロピル−２−メトキシ−４−メチルベンゼン；１−（２，２，６−トリメチルシクロヘキシル）ヘキサン−３−オール；（２Ｅ，６Ｅ）−３，７，１１−トリメチルドデカ−２，６，１０−トリエン−１−オール；（Ｚ）−デカ−２−エナール；（Ｅ）−ノナ−２−エナール；（Ｅ）−デカ−４−エナール；（Ｚ）−オキサシクロヘプタデカ−８−エン−２−オン；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；２−（（１−ヒドロキシ−３−フェニルブチル）アミノ）安息香酸メチル；１−（（２Ｅ，５Ｚ，９Ｚ）−２，６，１０−トリメチルシクロドデカ−２，５，９−トリエン−１−イル）エタン−１−オン；デカヒドロ−２，６，６，７，８，８−ヘキサメチル−２Ｈ−インデノ（４，５−ｂ）フラン；ペンタメチルオクタヒドロインデノジオキサン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；２−（（２Ｒ，８Ｒ，８ａＳ）−８，８ａ−ジメチル−１，２，３，４，６，７，８，８ａ−オクタヒドロナフタレン−２−イル）プロパン−２−オール；（Ｚ）−２−メチル−４−（２，６，６−トリメチルシクロヘキサ−２−エン−１−イル）ブタ−２−エナール；
１−メトキシ−３ａ，４，５，６，７，７ａ−ヘキサヒドロ−１Ｈ−４，７−メタノインデン；（Ｚ）−２−（（３−（４−（ｔｅｒｔ−ブチル）フェニル）−２−メチルプロピリデン）アミノ）安息香酸メチル；２，４，６−トリメチル−４−フェニル−１，３−ジオキサン；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；（Ｚ）−２−（（（２，４−ジメチルシクロヘキサ−３−エン−１−イル）メチレン）アミノ）安息香酸メチル；４，８−ジメチル−２−（プロパン−２−イリデン）−１，２，３，３ａ，４，５，６，８ａ−オクタヒドロアズレン−６−オール；４，８−ジメチル−２−（プロパン−２−イリデン）−１，２，３，３ａ，４，５，６，８ａ−オクタヒドロアズレン−６−イルアセテート；デカヒドロ−３Ｈ−スピロ［フラン−２，５’−［４，７］メタノインデン］；（２Ｚ，６Ｅ）−ノナ−２，６−ジエンニトリル；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；（１Ｒ，８ａＲ）−４−イソプロピル−１，６−ジメチル−１，２，３，７，８，８ａ−ヘキサヒドロナフタレン；（７，７，８，８−テトラメチルオクタヒドロ−２，３ｂ−メタノシクロペンタ［１，３］シクロプロパ［１，２］ベンゼン−４−イル）メタノール；１−エトキシ−４−（ｔｅｒｔ−ペンチル）シクロヘキサン；（３Ｚ）−１−（２−ブテン−１−イルオキシ）−３−ヘキセン；４−（２−メトキシプロパン−２−イル）−１−メチルシクロヘキサ−１−エン；３−メトキシ−３，７−ジメチルオクタ−１，６−ジエン；３，７−ジメチルオクタナール；２−ヒドロキシ安息香酸ヘキシル；ヘキシル（Ｚ）−ブタ−２−エノエート；
（Ｚ）−３，７−ジメチルオクタ−２，６−ジエン−１−イルホルメート；（Ｚ）−１−（２，６，６−トリメチルシクロヘキサ−１−エン−１−イル）ペンタ１−エン−３−オン；（Ｅ）−３，７−ジメチルオクタ−４，６−ジエン−３−オール；メチル（Ｚ）−３，７−ジメチルオクタ−２，６−ジエノエート；（（１ｓ，４ｓ）−４−イソプロピルシクロヘキシル）メタノール；３，７−ジメチルオクタ−１，６−ジエン−３−イルプロピオオネート；３，７−ジメチルオクタ−１，６−ジエン−３−イルホルメート；３，７−ジメチルオクタ−１，６−ジエン−３−イルブチレート；３，７−ジメチルオクタ−１，６−ジエン−３−イルアセテート；３，７−ジメチルオクタ−１，６−ジエン−３−オール；２，２−ジメチル−５−フェニルヘキサンニトリル；（Ｚ）−４−（６，６−ジメチルシクロヘキサ−２−エン−１−イル）−３−メチルブタ−３−エン−２−オン；７−メチルオクチルアセテート；オクタン酸イソペンチル；プロピオン酸ヘキシル；酪酸ヘキシル；２−メチル酪酸ヘキシル；ヘキシルフラン−２−カルボキシレート；酢酸ヘプチル；（Ｚ）−３，７−ジメチルオクタ−２，６−ジエンニトリル；（Ｅ）−３，７−ジメチルオクタ−２，６−ジエン−１−イルホルメート；（Ｅ）−３，７−ジメチルオクタ−２，６−ジエン−１−イルオクタノエート；（Ｅ）−３，７−ジメチルオクタ−２，６−ジエン−１−イルベンゾエート；（Ｅ）−３，７−ジメチルオクタ−２，６−ジエナール；１−イソプロピル−４−メチルシクロヘキサ−１，４−ジエン；２−（ｓｅｃ−ブチル）シクロヘキサン−１−オン；３−（２−エチルフェニル）−２，２−ジメチルプロパナール；２−（ｔｅｒｔ−ブチル）シクロヘキシルエチルカーボネート；オクタン酸エチル；２−シクロヘキシルプロパン酸エチル；４−メチル−２−フェニルテトラヒドロ−２Ｈ−ピラン；２，６−ジメチルオクタ−７−エン−２−オール；３−メチル−２−ペンチルシクロペンタ−２−エン−１−オン；２−（４−メチルシクロヘキシル）プロパン−２−イルアセテート；４−（２，６，６−トリメチルシクロヘキサ−２−エン−１−イル）ブタン−２−オン；（オキシビス（メチレン））ジベンゼン；フタル酸ジブチル；２−アミノ安息香酸デシル；（１ｓ，４ｓ）−１，４−ジメチルシクロヘキサン−１−カルボン酸メチル；２−シクロヘキシルエチルアセテート；（３Ｚ，５Ｚ）−２，６−ジメチルオクタ−１，３，５，７−テトラエン；４−シクロヘキシル−２−メチルブタン−２−オール；２−ベンジル−２−メチルブタ−３−エンニトリル；３，７−ジメチルオクタ−６−エンニトリル；３，７−ジメチルオクタ−６−エン−１−イル２−フェニルアセテート；３，７−ジメチルオクタ−６−エン−１−イルホルメート；３，７−ジメチルオクタ−６−エン−１−イルベンゾエート；３，７−ジメチルオクタ−６−エン−１−オール；３，７−ジメチルオクタ−６−エナール；（Ｅ）−３，７−ジメチルオクタ−２，６−ジエナール；
（１Ｒ，２Ｓ，５Ｒ）−２，６，６−トリメチルビシクロ［３．１．１］ヘプタン；（Ｚ）−ヘキサ−３−エン−１−イルペンタノエート；（Ｅ）−ヘキサ−３−エン−１−イル  （Ｅ）−２−メチルブタ−２−エノエート；（Ｚ）−ヘキサ−３−エン−１−イルブチレート；４−クロロ−３，５−ジメチルフェノール；５−イソプロピル−２−メチルフェノール；（Ｅ）−２−メチル−４−（２，６，６−トリメチルシクロヘキサ−１−エン−１−イル）ブタ−２−エナール；３−イソプロピル−６−メチレンシクロヘキサ−１−エン；２−ヒドロキシ安息香酸ベンジル；３−メチル酪酸ベンジル；１−（３，３−ジメチルシクロヘキシル）エチルホルメート；（Ｚ）−１−メトキシ−４−（プロパ−１−エン−１−イル）ベンゼン；安息香酸ペンチル；２−（４−メチルシクロヘキサ−３−エン−１−イル）プロパン−２−イルアセテート；（Ｚ）−３−メチル−４−（２，６，６−トリメチルシクロヘキサ−２−エン−１−イル）ブタ−３−エン−２−オン；（２−（アリルオキシ）エチル）ベンゼン；ヘプタン酸アリル；６，８−ジメチルノナン−２−オール；５−メチル−５−フェニルヘキサン−３−オン；３，７−ジメチル−２−メチレンオクタ−６−エナール；３，７−ジメチルオクタン−１−オール；２−ペンチルシクロペンタン−１−オール；（２Ｓ，４Ｓ）−２−ヘプチル−２，４−ジメチル−１，３−ジオキソラン；（Ｅ）−２−イソプロピル−５−メチルヘキサ−２−エナール；１−イソプロピル−４−メチル−７−オキサビシクロ［２．２．１］ヘプタン；（Ｚ）−１−（２，６，６−トリメチルシクロヘキサ−２−エン−１−イル）ブタ−２−エン−１−オン；（Ｒ）−３，７−ジメチルオクタ−１，６−ジエン−３−オール；３，７−ジメチルオクタ−６−エナール；（Ｒ）−３，７−ジメチルオクタ−６−エナール；３，７−ジメチルオクタ−６−エン−１−オール；３，７−ジメチルオクタ−６−エン−１−オール；（１Ｒ，５Ｒ）−２，６，６−トリメチルビシクロ［３．１．１］ヘプタ−２−エン；（１Ｓ，５Ｓ）−２，６，６−トリメチルビシクロ［３．１．１］ヘプタ−２−エン；ヘキシル（Ｚ）−２−メチルブタ−２−エノエート；ｐ−シメン；イソ酪酸フェネチル；フェネチル（Ｚ）−２−メチルブタ−２−エノエート；メタクリル酸フェネチル；（２Ｚ，５Ｚ）−５，６，７−トリメチルオクタ−２，５−ジエン−４−オン；１−メトキシ−４−プロピルベンゼン；２−（４−（ｔｅｒｔ−ブチル）フェニル）アセトアルデヒド；４−（ｔｅｒｔ−ペンチル）シクロヘキサン−１−オール；２，６，６−トリメチルビシクロ［３．１．１］ヘプタ−２−エン；（２，３，６−トリメチルシクロヘキシル）炭酸エチル；１−（３，３−ジメチルシクロヘキシル）エチルアセタート；（Ｓ）−３，７−ジメチルオクタ−１，６−ジエン−３−オール；」１−イソプロピル−４−メチレンビシクロ［３．１．０］ヘキサン；３，７−ジメチルオクタナール；４−（２，２，６−トリメチルシクロヘキシル）ブタン−２−オール；３，７−ジメチルオクタン−３−オール；３，７−ジメチルオクタン−３−イルアセテート；（１Ｒ，６Ｓ）−２，２，６−トリメチルシクロヘキサン−１−カ���ボン酸エチル；２−イソプロピル−５−メチルフェノール；（Ｚ）−１−（２，６，６−トリメチルシクロヘキサ−２−エン−１−イル）ブタ−２−エン−１−オン；（Ｚ）−１−メトキシ−４−（プロパ−１−エン−１−イル）ベンゼン；２，２，２−トリクロロ−１−フェニルエチルアセテート；２，２，５−トリメチル−５−ペンチルシクロペンタン−１−オン；（４−ｔｅｒｔ−ブチルシクロヘキシル）アセテート；４−（ｔｅｒｔ−ブチル）シクロヘキシルアセテート；４−メチル−４−フェニルペンタン−２−イルアセテート；（Ｚ）−１−（（２−メチルアリル）オキシ）ヘキサ−３−エン；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オンからなる群から選択され、
さらに好ましくは、前記１つ以上の悪臭低減材料は、２−エチルヘキシル（Ｚ）−３−（４−メトキシフェニル）アクリレート；２，４−ジメチル−２−（５，５，８，８−テトラメチル−５，６，７，８−テトラヒドロナフタレン−２−イル）−１，３−ジオキソラン；１，１−ジメトキシノン−２−イン；３−メトキシ−７，７−ジメチル−１０−メチレンビシクロ［４．３．１］デカン；メトキシシクロデカン；１，１−ジメトキシシクロドデカン；（Ｚ）−トリデカ−２−エンニトリル；（２−ヒドロキシ−４−メトキシフェニル）（フェニル）メタノン；２，４ａ，５，８ａ−テトラメチル−１，２，３，４，４ａ，７，８，８ａ−オクタヒドロナフタレン−１−イルホルメート；１，８−ジオキサシクロヘプタデカン−９−オン；４−（ｔｅｒｔ−ペンチル）シクロヘキサン−１−オン；２−メトキシ−１，１’−ビフェニル；３ａ，５，６，７，８，８ｂ−ヘキサヒドロ−２，２，６，６，７，８，８−ヘプタメチル−４Ｈ−インデノ（４，５−ｄ）−１，３−ジオキソール；７−イソプロピル−８，８−ジメチル−６，１０−ジオキサスピロ［４．５］デカン；オクチルフラン−２−カルボキシレート；酢酸オクチル；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−イルアセテート；テトラデカナール；テトラデカンニトリル；２，２，６，８−テトラメチル−１，２，３，４，４ａ，５，８，８ａ−オクタヒドロナフタレン−１−オール；２−（（１Ｓ，５Ｒ）−６，６−ジメチルビシクロ［３．１．１］ヘプタ−２−エン−２−イル）エチルアセテート；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；１２−メチル−１４−テトラデカ−９−エノリド；Ｎ−エチル−２−イソプロピル−５−メチルシクロヘキサン−１−カルボキサミド；２−メトキシナフタレン；（Ｅ）−３，７，１１−トリメチルドデカ−１，６，１０−トリエン−３−オール；（Ｚ）−３，７−ジメチルオクタ−２，６−ジエン−１−オール；メチル（Ｅ）−ノナ−２−エノエート；１０−イソプロピル−２，７−ジメチル−１−オキサスピロ［４．５］デカ−３，６−ジエン；２−（２−（４−メチルシクロヘキサ−３−エン−１−イル）プロピル）シクロペンタン−１−オン；（Ｅ）−４−（２，２，３，６−テトラメチルシクロヘキシル）ブタ−３−エン−２−オン；（４−（４−メチルペンタ−３−エン−１−イル）シクロヘキサ−３−エン−１−イル）メチルアセテート；２−（ｔｅｒｔ−ブチル）−４，５，６−トリメチル−１，３−フェニレン二亜硝酸塩；１，７−ジオキサシクロヘプタデカン−８−オン；１−（４−（ｔｅｒｔ−ブチル）−２，６−ジメチル−３，５−ジニトロフェニル）エタン−１−オン；１−（ｔｅｒｔ−ブチル）−２−メトキシ−４−メチル−３，５−ジニトロベンゼン；３−メチルシクロペンタデカン−１−オン；（Ｅ）−３−メチルシクロペンタデカ−４−エン−１−オン；１−（４−イソプロピルシクロヘキシル）エタン−１−オール；（Ｅ）−デカ−５−エン酸；メチルノナ−２−イノエート；２−メチルデカナール；６，６−ジメトキシ−２，５，５−トリメチルヘキサ−２−エン；ステアリン酸メチル；１，１−ジメトキシ−２−メチルウンデカン；ウンデカン−２−オン；２−メチルウンデカナール；テトラデカン酸メチル；メチル（９Ｚ，１２Ｚ）−オクタデカ−９，１２−ジエノエート；パルミチン酸メチル；１−メチル−２−フェノキシベンゼン；１−アリル−４−メトキシベンゼン；
１−（ナフタレン−２−イル）エタン−１−オン；メチルオクタ−２−イノエート；２，６，６−トリメチルシクロヘキサ−２−エン−１−カルボン酸メチル；７−イソプロピル−１０−メチル−１，５−ジオキサスピロ［５．５］ウンデカン−３−オール；３−（３−（ｔｅｒｔ−ブチル）フェニル）−２−メチルプロパナール；（Ｅ）−４−（４，８−ジメチルノナ−３，７−ジエン−１−イル）ピリジン；（Ｅ）−トリデカ−３，１２−ジエンニトリル；２，２−ジメチル−３−（ｍ−トリル）プロパン−１−オール；８−イソプロピル−６−メチルビシクロ２．２．２］オクタ−５−エン−２−カルボアルデヒド；（Ｓ）−１−メチル−４−（プロパ−１−エン−２−イル）シクロヘキサ−１−エン；３，７−ジメチルオクタ−１，６−ジエン−３−イルオクタノエート；３，７−ジメチルオクタ−１，６−ジエン−３−イルイソブチレート；３，７−ジメチルオクタ−１，６−ジエン−３−イルベンゾエート；３，７−ジメチルオクタ−１，６−ジエン−３−イル２−アミノベンゾエート；（２Ｚ，６Ｅ）−３，７−ジメチルノナ−２，６−ジエンニトリル；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；ドデカン−１−オール；酢酸ドデシル；ドデカン酸；５−ヘキシル−５−メチルジヒドロフラン−２（３Ｈ）−オン；ドデカナール；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；５−（ｓｅｃ−ブチル）−２−（２，４−ジメチルシクロヘキサ−３−エン−１−イル）−５−メチル−１，３−ジオキサン；（１−メチル−２−（（１，２，２−トリメチルビシクロ［３．１．０］ヘキサン−３−イル）メチル）シクロプロピル）メタノール；２−プロピルヘプタンニトリル；２−ヘキシルシクロペンタン−１−オン；２，６，９，１０−テトラメチル−１−オキサスピロ（４．５）デカ−３，６−ジエン；パルミチン酸イソプロピル；テトラデカン酸イソプロピル；ドデカン酸イソプロピル；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルボアルデヒド；（Ｚ）−１−ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；６−（ｓｅｃ−ブチル）キノリン；２−（シクロヘキシルオキシ）−１，７，７−トリメチルビシクロ［２．２．１］ヘプタン；（１Ｒ，２Ｒ，４Ｓ）−１，７，７−トリメチルビシクロ［２．２．１］ヘプタン−２−イルプロピオオネート；（１Ｓ，２Ｓ，４Ｓ）−１，７，７−トリメチルビシクロ［２．２．１］ヘプタン−２−イルイソブチレート；４−（（２Ｒ）−１，７，７−トリメチルビシクロ［２．２．１］ヘプタン−２−イル）シクロヘキサン−１−オール；（１Ｒ，４Ｓ）−１，７，７−トリメチルビシクロ［２．２．１］ヘプタン−２−イルアセテート；２−（４−イソプロピルシクロヘキサ１，４−ジエン−１−イル）エチルホルメート；イソペンチル（Ｅ）−ウンデカ−６−エノエート；ドデカン酸イソペンチル；（Ｅ）−オキサシクロヘプタデカ−１０−エン−２−オン；（Ｅ）−ノナ−２−エンニトリル；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；２−シクロドデシルプロパン−１−オール；３−メチル−５−フェニルペンタンニトリル；２，３−ジヒドロ−３，３−ジメチル−１Ｈ−インデン−５−プロパナール；３−（３，３−ジメチル−２，３−ジヒドロ−１Ｈ−インデン−５−イル）プロパナール；オクタン酸ヘキシル；ヘキサン酸ヘキシル；（Ｚ）−２−ベンジリデンオクタナール；安息香酸ヘキシル；（Ｚ）−ヘキサ−１−エン−１−イル（Ｚ）−２−メチルブタ−２−エノエート；（Ｅ）−３，７−ジメチルオクタ−２，６−ジエン−１−イルパルミテート；オキサシクロヘプタデカン−２−オン；（１Ｒ，２Ｒ，３Ｒ，４Ｒ）−３−イソプロピルビシクロ［２．２．１］ヘプタ−５−エン−２−カルボン酸エチル；２−（１−（３，３−ジメチルシクロヘキシル）エトキシ）−２−メチルプロピルプロピオネート；（Ｅ）−オキサシクロヘキサデカ−１３−エン−２−オン；６−ブチル−２，４−ジメチル−３，６−ジヒドロ−２Ｈ−ピラン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；２−エチル−６，６−ジメチルシクロヘキサ−２−エン−１−カルボン酸エチル；（１Ｚ，５Ｚ）−１，５−ジメチル−８−（プロパン−２−イリデン）シクロデカ−１，５−ジエン；（１Ｅ，６Ｅ）−８−イソプロピル−１−メチル−５−メチレンシクロデカ−１，６−ジエン；（Ｅ）−３，７−ジメチルオクタ−２，６−ジエン−１−イル２−フェニルアセテート；（Ｅ）−３，７−ジメチルオクタ−２，６−ジエン−１−イル２−フェニルアセテート；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（Ｚ）−４−（２，２−ジメチル−６−メチレンシクロヘキシル）ブタ−３−エン−２−オン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，３ａＲ，４Ｒ，７Ｒ）−１，４−ジメチル−７−（プロパ−１−エン−２−イル）−１，２，３，３ａ，４，５，６，７−オクタヒドロアズレン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；（１Ｒ，４ａＳ，８ａＳ）−１−イソプロピル−７−メチル−４−メチレン−１，２，３，４，４ａ，５，６，８ａ−オクタヒドロナフタレン；１−（３，３−ジメチルシクロヘキシル）ペンタ−４−エン−１−オン；４，６，６，７，８，８−ヘキサメチル−１，３，４，６，７，８−ヘキサヒドロシクロペンタ［ｇ］イソクロメン；フラン−２−イルメチルオクタノエート；フラン−２−イルメチルヘキサノエート；フラン−２−イルメチルヘプタノエート；２−メチルデカンニトリル；８，８−ジメチル−３ａ，４，５，６，７，７ａ−ヘキサヒドロ−１Ｈ−４，７−メタノインデン−６−イルプロピオネート；（３ａＲ，４Ｓ，７Ｒ，７ａＲ）−オクタヒドロ−３ａＨ−４，７−メタノインデン−３ａ−カルボン酸エチル；（６−イソプロピル−９−メチル−１，４−ジオキサスピロ［４．５］デカン−２−イル）メタノール；ウンデカ−１０−エンニトリル；３−（２−エチルフェニル）−２，２−ジメチルプロパナール；（Ｅ）−４，８−ジメチルデカ−４，９−ジエナール；
（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；８，８−ジメチル−３ａ，４，５，６，７，７ａ−ヘキサヒドロ−１Ｈ−４，７−メタノインデン−６−イルアセテート；３−（４−エチルフェニル）−２，２−ジメチルプロパンニトリル；２−ヘプチルシクロペンタン−１−オン；１−エトキシエトキシシクロドデカン；３−シクロヘキセン−１−カルボン酸，２，６，６−トリメチル−，メチルエステル；（２Ｅ，６Ｅ）−３，７，１１−トリメチルドデカ−２，６，１０−トリエン−１−イルアセテート；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；１，４−ジオキサシクロヘプタデカン−５，１７−ジオン；エチルウンデカ−１０−エノエート；パルミチン酸エチル；ノナン酸エチル；テトラデカン酸エチル；（Ｅ）−３，７−ジメチルノナ−−１，６−ジエン−３−オール；ドデカン酸エチル；デカン酸エチル；６，６−ジメチル−２−メチレンシクロヘキサ−３−エン−１−カルボン酸エチル；６−エチル−２，１０，１０−トリメチル−１−オキサスピロ［４．５］デカ−３，６−ジエン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（Ｅ）−４−（（３ａＳ，７ａＳ）−オクタヒドロ−５Ｈ−４，７−メタノインデン−５−イリデン）ブタナール；１，１−ジメトキシドデカン；（Ｒ）−１−メチル−４−（プロパ−１−エン−２−イル）シクロヘキサ−１−エン；７，９−ジメチルスピロ［５．５］ウンデカン−３−オン；オキシジベンゼン；ジフェニルメタン；２−メチル−１−フェニルプロパン−２−イルブチレート；オクタヒドロ−１Ｈ−４，７−メタノインデン−５−イルアセテート；２−メチル−５−（プロパ−１−エン−２−イル）シクロヘキシルアセテート；３，７−ジメチルオクタ−６−エン−３−オール；ジブチルスルファン；１，２−ジフェニルエタン；６−ヘキシルテトラヒドロ−２Ｈ−ピラン−２−オン；（３Ｒ，４Ｒ）−１−イソプロピル−４−メチル−３−（プロパ−１−エン−２−イル）−４−ビニルシクロヘキサ−１−エン；（３Ｓ，３ａＳ，５Ｒ）−３，８−ジメチル−５−（プロパ−１−エン−２−イル）−１，２，３，３ａ，４，５，６，７−オクタヒドロアズレン；６−ヘプチルテトラヒドロ−２Ｈ−ピラン−２−オン；（１Ｓ，８ａＲ）−４，７−ジメチル−１−（プロパン−２−イル）−１，２，３，５，６，８ａ−ヘキサヒドロナフタレン；（Ｚ）−１−（（１Ｒ，２Ｓ）−２，６，６−トリメチルシクロヘキサ−３−エン−１−イル）ブタ−２−エン−１−オン；（１Ｓ，８ａＳ）−１−イソプロピル−４，７−ジメチル−１，２，３，５，６，８ａ−ヘキサヒドロナフタレン；３，７，７−トリメチルビシクロ［４．１．０］ヘプタ−３−エン；デカ−９−エン−１−オール；プロピオン酸デシル；
１，１−ジエトキシデカン；１−シクロヘキシルエチル（Ｅ）−ブタ−２−エノアート；３−（４−イソプロピルフェニル）−２−メチルプロパナール；シクロテトラデカン；シクロペンタデカノン；２−ヒドロキシ安息香酸シクロヘキシル；３ａ，４，５，６，７，７ａ−ヘキサヒドロ−１Ｈ−４，７−メタノインデン−６−イルブチレート；８，８−ジメチル−１，２，３，４，５，６，７，８−オクタヒドロナフタレン−２−カルバルデヒド；３ａ，４，５，６，７，７ａ−ヘキサヒドロ−１Ｈ−４，７−メタノインデン−５−イルイソブチレート；（５Ｒ，６Ｒ）−３，６−ジメチル−５−（プロパ−１−エン−２−イル）−６−ビニル−４，５，６，７−テトラヒドロベンゾフラン；２−（３−フェニルプロピル）ピリジン；ドデカンニトリル；（Ｅ）−シクロヘプタデカ−９−エン−１−オン；３−（４−メチルシクロヘキサ−３−エン−１−イル）ブタ−３−エン−１−イルアセテート；３−（４−メチルシクロヘキサ−３−エン−１−イル）ブタン−１−オール；（Ｅ）−３−メチル−５−フェニルペンタ−２−エンニトリル；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−１，１−ジエトキシ−３，７−ジメチルオクタ−２，６−ジエン；（Ｅ）−３，７−ジメチルオクタ−１，３，６−トリエン；（Ｅ）−オキサシクロヘプタデカ−１１−エン−２−オン；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−ヒドロキシベンゾエート；（Ｚ）−ヘキサ−３−エン−１−イルベンゾエート；（Ｚ）−ヘキサ−３−エン−１−イル２−メチルブタノエート；プロピオン酸シンナミル；イソブタン酸シンナミル；ケイ皮酸シンナミル；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；（３ａＲ，５ａＲ，９ａＲ，９ｂＲ）−３ａ，６，６，９ａ−テトラメチルドデカヒドロナフト［２，１−ｂ］フラン；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（４Ｚ，８Ｚ）−１，５，９−トリメチル−１３−オキサビシクロ［１０．１．０］トリデカ−４，８−ジエン；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；５−メチル−１−（２，２，３−トリメチルシクロペンタ−３−エン−１−イル）−６−オキサビシクロ［３．２．１］オクタン；１，１，２，３，３−ペンタメチル−１，２，３，５，６，７−ヘキサヒドロ−４Ｈ−インデン−４−オン；（Ｚ）−４，１１，１１−トリメチル−８−メチレンビシクロ７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカン−１−オール；２−メチル−５−（プロパ−１−エン−２−イル）シクロヘキサ−２−エン−１−イルアセテート；オクタンニトリル；ドデカン酸；デカナール２，２−ジメチル−３−メチレンビシクロ［２．２．１］ヘプタン；２−メチル−４−オキソ−６−ペンチルシクロヘキサ−２−エン−１−カルボン酸エチル；２，６−ジ−ｔｅｒｔ−ブチル−４−メチルフェノール；ステアリン酸ブチル；ブチルウンデカ−１０−エノエート；２−メチル−４−（２，２，３−トリメチルシクロペンタ−３−エン−１−イル）ブタン−１−オール；３−（４−（ｔｅｒｔ−ブチル）フェニル）プロパナール；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；（エトキシメトキシ）シクロドデカン；（Ｅ）−１−メチル−４−（６−メチルヘプタ−５−エン−２−イリデン）シクロヘキサ−１−エン；３，３，６，７−テトラメチルオクタヒドロ−２Ｈ−クロメン；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキシルアセテート；（２Ｚ，６Ｅ）−２，６−ジメチル−１０−メチレンドデカ−２，６，１１−トリエナール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパ−１−エン−２−イル）デカヒドロナフタレン；（Ｚ）−２−メチル−５−（（１Ｓ，２Ｒ，４Ｒ）−２−メチル−３−メチレンビシクロ［２．２．１］ヘプタン−２−イル）ペンタ２−エン−１−オール；６，６−ジメチル−２−メチレンビシクロ［３．１．１］ヘプタン；２−エトキシナフタレン；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン；（Ｒ）−３，５，５，９−テトラメチル−２，４ａ，５，６，７，８−ヘキサヒドロ−１Ｈ−ベンゾ［７］アヌレン；（１Ｓ，４Ｓ）−１，４−ジメチル−７−（プロパン−２−イリデン）−１，２，３，４，５，６，７，８−オクタヒドロアズレン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレントリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；
（Ｓ）−４−メチル−１−（（Ｓ）−６−メチルヘプタ−５−エン−２−イル）シクロヘキサ−３−エン−１−オール；ドデカン酸ベンジル；ケイ皮酸ベンジル；安息香酸ベンジル；２’−イソプロピル−１，７，７−トリメチルスピロ［ビシクロ［２．２．１］ヘプタン−２，４’−［１，３］ジオキサン］；４−（４−メチルペンタ−３−エン−１−イル）シクロヘキサ−３−エン−１−カルボニトリル；（Ｅ）−２−（（７−ヒドロキシ−３，７−ジメチルオクチリデン）アミノ）安息香酸メチル；４−メトキシベンジル２−フェニルアセテート；（Ｚ）−３−フェニルアクリル酸ペンチル；（３ａＲ，５ａＳ，９ａＳ，９ｂＲ）−３ａ，６，６，９ａ−テトラメチルドデカヒドロナフト［２，１−ｂ］フラン；（４ａＲ，５Ｒ，７ａＳ，９Ｒ）−２，２，５，８，８，９ａ−ヘキサメチルオクタヒドロ−４Ｈ−４ａ，９−メタノアズレノ［５，６−ｄ］［１，３］ジオキソール；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（３Ｓ，５ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン；２，２，６，６，７，８，８−ヘプタメチルデカヒドロ−２Ｈ−インデノ［４，５−ｂ］フラン；２，２，７，７，８，９，９−ヘプタメチルデカヒドロインデノ［４，３ａ−ｂ］フラン；２−（ｓｅｃ−ブチル）−１−ビニルシクロヘキシルアセテート；（４Ｒ，４ａＳ）−４，４ａ−ジメチル−６−（プロパン−２−イリデン）−４，４ａ，５，６，７，８−ヘキサヒドロナフタレン−２（３Ｈ）−オン；２−（４−メチルシクロヘキサ−３−エン−１−イル）プロパン−２−イルプロピオオネート；（２Ｚ，６Ｅ，９Ｅ）−２，６，１０−トリメチルドデカ−２，６，９，１１−テトラエナール；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ３−エン−１−イル）トリシクロ［２．２．１．０２，６］ヘプタン；（Ｅ）−５−（２，３−ジメチルトリシクロ［２．２．１．０２，６］ヘプタン−３−イル）−２−メチルペンタ２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；１−（５，５−ジメチルシクロヘキサ−１−エン−１−イル）ペンタ−４−エン−１−オン；（１Ｓ，４ａＳ，８ａＲ）−１−イソプロピル−４，７−ジメチル−１，２，４ａ，５，６，８ａ−ヘキサヒドロナフタレン；（Ｒ，Ｚ）−１−（２，６，６−トリメチルシクロヘキサ−２−エン−１−イル）ペンタ−１−エン−３−オン；１−メチル−４−（プロパ−１−エン−２−イル）シクロヘキサ−１−エン；（Ｚ）−４−（２，５，６，６−テトラメチルシクロヘキサ−２−エン−１−イル）ブタ−３−エン−２−オン；（１Ｚ，４Ｅ，８Ｚ）−２，６，６，９−テトラメチルシクロウンデカ−１，４，８−トリエン；（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；１，４−ジメチル−７−（プロパ−１−エン−２−イル）−１，２，３，４，５，６，７，８−オクタヒドロアズレン；（３Ｅ，６Ｅ）−３，７，１１−トリトリメチルドデカ−１，３，６，１０−テトラエン；７，７−ジメチル−２−メチレンビシクロ［２．２．１］ヘプタン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（Ｒ）−１−メチル−４−（６−メチルヘプタ−５−エン−２−イル）ベンゼン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４ａＲ，８ａＲ）−１−イソプロピル−４，７−ジメチル−１，２，４ａ，５，６，８ａ−ヘキサヒドロナフタレン；（Ｒ）−２−（（Ｒ）−４−メチルシクロヘキサ−３−エン−１−イル）ヘキサ−５−エン−２−オール；（Ｚ）−１−メチル−４−（６−メチルヘプタ−２，５−ジエン−２−イル）シクロヘキサ−１−エン；２，６−ジメチル−６−（４−メチルペンタ−３−エン−１−イル）ビシクロ［３．１．１］ヘプタ−２−エン；（Ｅ）−２−ベンジリデンヘプタン−１−オール；（Ｅ）−２−ベンジリデンヘプチルアセテート；（Ｚ）−（２−（ジエトキシメチル）ヘプタ−１−エン−１−イル）ベンゼン；（Ｅ）−２−ベンジリデンヘプタナール；（１Ｓ，４ａＲ，８ａＳ）−１−イソプロピル−４，７−ジメチル−１，２，４ａ，５，６，８ａ−ヘキサヒドロナフタレン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；１−メチル−４−（４−メチルペンタ−３−エン−１−イル）シクロヘキサ−３−エン−１−カルバルデヒド；３−メチル−１−フェニルペンタン−３−オール；２，６，１０−トリメチルウンデカナール；３−シクロヘキシルプロパン酸アリル；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；（Ｅ）−２−（（（３，５−ジメチルシクロヘキサ−３−エン−１−イル）メチレン）アミノ）安息香酸メチル；２，６，１０−トリメチルウンデカ−９−エナール；（７，７，８，８−テトラメチルオクタヒドロ−２，３ｂ−メタノシクロペンタ［１，３］シクロプロパ［１，２］ベンゼン−４−イル）メチルアセテート；酢酸ノニル；（２−（１−プロピルエトキシ）エチル）ベンゼン；（Ｚ）−２−（４−メチルベンジリデン）ヘプタナール；デカ−９−エナール；（Ｚ）−オキサシクロヘプタデカ−８−エン−２−オン；
（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６−イソプロピルキノリン；３−（６，６−ジメチルビシクロ［３．１．１］ヘプタ−２−エン−２−イル）プロパナール；６，１０，１４−トリメチルペンタデカン−２−オン；（Ｅ）−シクロヘキサデカ−５−エン−１−オン；１−イソプロピル−４−メチルシクロヘキサ−３−エン−１−オール；１−イソプロピル−４−メチルシクロヘキサ−３−エン−１−オール；３，６−ジメチル−４，５，６，７−テトラヒドロベンゾフラン；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；（Ｅ）−ヘキサ−３−エン−１−イル３−メチルブタノエート；３，６−ジメチルオクタン−３−イルアセタート；３−（４−イソプロピルフェニル）プロパナール；（Ｚ）−ウンデカ−２−エンニトリル；（Ｅ）−ウンデカ−２−エナール；酪酸フェネチル；（Ｚ）−ノナ−２−エナール；ノナン−２−オール；ノナン−２−オン；２−イソブチルキノリン；（Ｅ）−２−ヘキシリデンシクロペンタン−１−オン；２−ヘプチルテトラヒドロフラン；（Ｅ）−デカ−２−エナール；２，６−ジメチルオクタナール；デカン−１−オール；（Ｅ）−ヘプタ−１−エン−１−イルアセテート；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−６，１０−ジメチルウンデカ−５，９−ジエン−２−イルアセテート；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｅ）−６，１０−ジメチルウンデカ−５，９−ジエン−２−イルアセテート；（Ｚ）−３−メチル−５−フェニルペンタ−２−エンニトリル；（２Ｓ，５Ｓ，６Ｓ）−２，６，１０，１０−テトラメチル−１−オキサスピロ［４．５］デカン−６−オール；（２Ｅ）−３−メチル−５−フェニル−２−ペンテンニトリル；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；２−（８−イソプロピル−６−メチルビシクロ［２．２．２］オクタ−５−エン−２−イル）−１，３−ジオキソラン；（Ｅ）−４−（２，２−ジメチル−６−メチレンシクロヘキシル）−３−メチルブタ−３−エン−２−オン；３−（３−イソプロピルフェニル）ブタナール；３−（１−エトキシエトキシ）−３，７−ジメチルオクタ−１，６−ジエン；３ａ，４，５，６，７，７ａ−ヘキサヒドロ−１Ｈ−４，７−メタノインデン−６−イルプロピオネート；２−（（３Ｓ，３ａＳ，５Ｒ）−３，８−ジメチル−１，２，３，３ａ，４，５，６，７−オクタヒドロアズレン−５−イル）プロパン−２−オール；２−フェニル酢酸ベンジル；３−（６，６−ジメチルビシクロ［３．１．１］ヘプタ−２−エン−２−イル）−２，２−ジメチルプロパナール；２−メチル−５−（６−メチルヘプタ−５−エン−２−イル）ビシクロ３．１．０］ヘキサ−２−エン；１−（１，１，２，３，３，６−ヘキサメチル−２，３−ジヒドロ−１Ｈ−インデン−５−イル）エタン−１−オン；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；ヘキサン酸ｐ−トリル；５−ヘキシル−４−メチルジヒドロフラン−２（３Ｈ）−オン；エチル（２Ｚ，４Ｅ）−デカ−２，４−ジエノエート；２，４−ジメチル−６−フェニル−３，６−ジヒドロ−２Ｈ−ピラン；２−シクロヘキシリデン−２−フェニルアセトニトリル；（４−（プロパ−１−エン−２−イル）シクロヘキサ−１−エン−１−イル）メチルアセテート；（４−（プロパ−１−エン−２−イル）シクロヘキサ−１−エン−１−イル）メタノール；（２−イソプロピルエチル）ベンゼン；２−シクロヘキシルヘプタ−１，６−ジエン−３−オン；（２−（シクロヘキシルオキシ）エチル）ベンゼン；２−メチル酪酸フェネチル；２−フェニル酢酸フェネチル；安息香酸フェニル；
安息香酸フェネチル；２−（６，６−ジメチルビシクロ［３．１．１］ヘプタ−２−エン−２−イル）アセトアルデヒド；３ａ，４，５，６，７，７ａ−ヘキサヒドロ−１Ｈ−４，７−メタノインデン−６−イルピバレート；（Ｅ）−３，３−ジメチル−５−（２，２，３−トリメチルシクロペンタ−３−エン−１−イル）ペンタ−４−エン−２−オール；１−メチル−４−（４−メチルペンタ−３−エン−１−イル）シクロヘキサ−３−エン−１−カルバルデヒド；２−フェニル酢酸ｐ−トリル；エチル２，４，７−デカトリエノエート；２−ベンジル−４，４，６−トリメチル−１，３−ジオキサン；２，４−ジメチル−４−フェニルテトラヒドロフラン；（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］；（Ｚ）−６−エチリデンオクタヒドロ−２Ｈ−５，８−メタノクロメン；２−（（Ｓ）−１−（（Ｓ）−３，３−ジメチルシクロヘキシル）エトキシ）−２−オキソエチルプロピオネート；２，２−ジメチル−６−メチレンシクロヘキサン−１−カルボン酸メチル；４−メチル−２−フェニル−３，６−ジヒドロ−２Ｈ−ピラン；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；１−（３−ヒドロキシ−３−メチルペンタ−４−エン−１−イル）−２，５，５，８ａ−テトラメチルデカヒドロナフタレン−２−オール；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（４ａＲ，８ａＲ）−４ａ，８−ジメチル−２−（プロパン−２−イリデン）−１，２，３，４，４ａ，５，６，８ａ−オクタヒドロナフタレン；２−（１−（３，３−ジメチルシクロヘキシル）エトキシ）−２−メチルプロピルシクロプロパンカルボキシレート；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３−メチル−２−ペンチルシクロペンタン−１−オン；２，６，１０，１０−テトラメチル−１−オキサスピロ［４．５］デカ−６−エン；（１ａＲ，４ａＳ）−２，４ａ，８，８−テトラメチル−１，１ａ，４，４ａ，５，６，７，８−オクタヒドロシクロプロパ［ｄ］ナフタレン；１−イソプロピル−２−メトキシ−４−メチルベンゼン；１−（２，２，６−トリメチルシクロヘキシル）ヘキサン−３−オール；（２Ｅ，６Ｅ）−３，７，１１−トリメチルドデカ−２，６，１０−トリエン−１−オール；（Ｚ）−デカ−２−エナール；（Ｅ）−ノナ−２−エナール；（Ｅ）−デカ−４−エナール；（Ｚ）−オキサシクロヘプタデカ−８−エン−２−オン；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；２−（（１−ヒドロキシ−３−フェニルブチル）アミノ）安息香酸メチル；１−（（２Ｅ，５Ｚ，９Ｚ）−２，６，１０−トリメチルシクロドデカ−２，５，９−トリエン−１−イル）エタン−１−オン；デカヒドロ−２，６，６，７，８，８−ヘキサメチル−２Ｈ−インデノ（４，５−ｂ）フラン；
ペンタメチルオクタヒドロインデノジオキサン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；２−（（２Ｒ，８Ｒ，８ａＳ）−８，８ａ−ジメチル−１，２，３，４，６，７，８，８ａ−オクタヒドロナフタレン−２−イル）プロパン−２−オール；（Ｚ）−２−メチル−４−（２，６，６−トリメチルシクロヘキサ−２−エン−１−イル）ブタ−２−エナール；１−メトキシ−３ａ，４，５，６，７，７ａ−ヘキサヒドロ−１Ｈ−４，７−メタノインデン；（Ｚ）−２−（（３−（４−（ｔｅｒｔ−ブチル）フェニル）−２−メチルプロピリデン）アミノ）安息香酸メチル；２，４，６−トリメチル−４−フェニル−１，３−ジオキサン；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；（Ｚ）−２−（（（２，４−ジメチルシクロヘキサ−３−エン−１−イル）メチレン）アミノ）安息香酸メチル；４，８−ジメチル−２−（プロパン−２−イリデン）−１，２，３，３ａ，４，５，６，８ａ−オクタヒドロアズレン−６−オール；４，８−ジメチル−２−（プロパン−２−イリデン）−１，２，３，３ａ，４，５，６，８ａ−オクタヒドロアズレン−６−イルアセテート；デカヒドロ−３Ｈ−スピロ［フラン−２，５’−［４，７］メタノインデン］；（２Ｚ，６Ｅ）−ノナ−２，６−ジエンニトリル；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；（１Ｒ，８ａＲ）−４−イソプロピル−１，６−ジメチル−１，２，３，７，８，８ａ−ヘキサヒドロナフタレン；（７，７，８，８−テトラメチルオクタヒドロ−２，３ｂ−メタノシクロペンタ［１，３］シクロプロパ［１，２］ベンゼン−４−イル）メタノール；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オンからなる群から選択され、
さらに好ましくは、前記１つ以上の悪臭低減材料は、３−メトキシ−７，７−ジメチル−１０−メチレンビシクロ４．３．１］デカン；２，４ａ，５，８ａ−テトラメチル−１，２，３，４，４ａ，７，８，８ａ−オクタヒドロナフタレン−１−イルホルメート；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（Ｅ）−シクロヘキサデカ−８−エン−１−オン；（Ｚ）−１−ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；（１Ｓ，２Ｓ，４Ｓ）−１，７，７−トリメチルビシクロ［２．２．１］ヘプタン−２−イルイソブチレート；２，３−ジヒドロ−３，３−ジメチル−１Ｈ−インデン−５−プロパナール；３−（３，３−ジメチル−２，３−ジヒドロ−１Ｈ−インデン−５−イル）プロパナール；２−（（２Ｒ，４ａＲ）−４ａ，８−ジメチル−１，２，３，４，４ａ，５，６，７−オクタヒドロナフタレン−２−イル）プロパン−２−オール；４，６，６，７，８，８−ヘキサメチル−１，３，４，６，７，８−ヘキサヒドロシクロペンタ［ｇ］イソクロメン；８，８−ジメチル−３ａ，４，５，６，７，７ａ−ヘキサヒドロ−１Ｈ−４，７−メタノインデン−６−イルアセテート；オクタヒドロ−１Ｈ−４，７−メタノインデン−５−イルアセテート；３ａ，４，５，６，７，７ａ−ヘキサヒドロ−１Ｈ−４，７−メタノインデン−６−イルブチレート；３ａ，４，５，６，７，７ａ−ヘキサヒドロ−１Ｈ−４，７−メタノインデン−５−イルイソブチレート；（５Ｒ，６Ｒ）−３，６−ジメチル−５−（プロパ−１−エン−２−イル）−６−ビニル−４，５，６，７−テトラヒドロベンゾフラン；（Ｅ）−シクロヘプタデカ−９−エン−１−オン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；（Ｚ）−４，１１，１１−トリメチル−８−メチレンビシクロ７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカン−１−オール；（１Ｓ，２Ｓ）−１，７，７−トリメチルビシクロ［２．２．１］ヘプタン−２−イルイソブチレート；（Ｚ）−２−メチル−５−（（１Ｓ，２Ｒ，４Ｒ）−２−メチル−３−メチレンビシクロ［２．２．１］ヘプタン−２−イル）ペンタ２−エン−１−オール；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン；（３Ｒ，３ａＳ，７Ｓ，８ａＳ）−３，８，８−トリメチル−６−メチレンオクタヒドロ−１Ｈ−３ａ，７−メタノアズレン；４−メトキシベンジル２−フェニルアセテート；２，２，７，７，８，９，９−ヘプタメチルデカヒドロインデノ［４，３ａ−ｂ］フラン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（Ｅ）−５−（２，３−ジメチルトリシクロ［２．２．１．０２，６］ヘプタン−３−イル）−２−メチルペンタ２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；
（１ａＲ，４ａＳ，７Ｒ，７ａＲ，７ｂＳ）−１，１，７−トリメチル−４−メチレンデカヒドロ−１Ｈ−シクロプロパ［ｅ］アズレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；（Ｅ）−シクロヘキサデカ−５−エン−１−オン；（１ａＲ，２Ｓ，４ａＳ）−２，４ａ，８，８−テトラメチルオクタヒドロシクロプロパ［ｄ］ナフタレン−３（１Ｈ）−オン；２−（（２Ｒ，４ａＳ）−４ａ，８−ジメチル−１，２，３，４，４ａ，５，６，７−オクタヒドロナフタレン−２−イル）プロパン−２−オール；３ａ，４，５，６，７，７ａ−ヘキサヒドロ−１Ｈ−４，７−メタノインデン−６−イルプロピオネート；１−（１，１，２，３，３，６−ヘキサメチル−２，３−ジヒドロ−１Ｈ−インデン−５−イル）エタン−１−オン；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；３ａ，４，５，６，７，７ａ−ヘキサヒドロ−１Ｈ−４，７−メタノインデン−６−イルピバレート；（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］；２，２，７，９−テトラメチルスピロ（５．５）ウンデカ−８−エン−１−オン；（Ｚ）−２−エチル−４−（２，２，３−トリメチルシクロペンタ−３−エン−１−イル）ブタ−２−エン−１−オール；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；
（１ａＲ，４ａＳ）−２，４ａ，８，８−テトラメチル−１，１ａ，４，４ａ，５，６，７，８−オクタヒドロシクロプロパ［ｄ］ナフタレン；（１Ｒ−（１α，３α，４ａα））−２，３，４，４ａ，５，６−ヘキサヒドロ−２，２−ジメチル−１，３−メタノナフタレン−７（１Ｈ）−オン；２−（（２Ｒ，８Ｒ，８ａＳ）−８，８ａ−ジメチル−１，２，３，４，６，７，８，８ａ−オクタヒドロナフタレン−２−イル）プロパン−２−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；（Ｚ）−２−（（（２，４−ジメチルシクロヘキサ−３−エン−１−イル）メチレン）アミノ）安息香酸メチル；４，８−ジメチル−２−（プロパン−２−イリデン）−１，２，３，３ａ，４，５，６，８ａ−オクタヒドロアズレン−６−イルアセテート；デカヒドロ−３Ｈ−スピロ［フラン−２，５’−［４，７］メタノインデン］；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；テトラヒドロナフタレン−２−イル）−１，３−ジオキソラン；２−（シクロヘキシルオキシ）−１，７，７−トリメチルビシクロ［２．２．１］ヘプタン；４−（（２Ｒ）−１，７，７−トリメチルビシクロ［２．２．１］ヘプタン−２−イル）シクロヘキサン−１−オール；８，８−ジメチル−３ａ，４，５，６，７，７ａ−ヘキサヒドロ−１Ｈ−４，７−メタノインデン−６−イルプロピオネート；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オンからなる群から選択され、
最も好ましくは、前記１つ以上の悪臭低減材料は、３−（３，３−ジメチル−２，３−ジヒドロ−１Ｈ−インデン−５−イル）プロパナール；８，８−ジメチル−３ａ，４，５，６，７，７ａ−ヘキサヒドロ−１Ｈ−４，７−メタノインデン−６−イルアセテート；２，２，７，７，８，９，９−ヘプタメチルデカヒドロインデノ［４，３ａ−ｂ］フラン；（Ｅ）−シクロヘキサデカ−５−エン−１−オン；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノｐｈｔａｌｅｎ−８（５Ｈ）−オンおよびこれらの混合物からなる群から選択される、
請求項１〜４のいずれか一項に記載の製品。
【請求項６】
請求項１〜５のいずれか一項に記載の洗浄および／または処理組成物であって、前記悪臭低減材料は、ゲラニルニトリル；ヘリオナール；ノナナール；リナロール；（Ｓ）−（＋）−リナロール；（Ｒ）−（−）−リナロール；ネロール；テトラヒドロリナロール；酢酸２−フェニルエチル；オイゲノール；エチルリナロール；アリルヘプトエート；アグルメンニトリル；シトロニトリル；２，２−ジメチル−３−（ｍ−トリル）プロパン−１−オール；２−メチル−５−フェニルペンタン−１−オール；ドデカンニトリル；２−ヘプチルシクロペンタン−１−オン；メチルノニルアセトアルデヒド；３−（２−エチルフェニル）−２，２−ジメチルプロパナール；（Ｚ）−１−（２，６，６−トリメチルシクロヘキサ−２−エン−１−イル）ブタ−２−エン−１−オン；（Ｒ，Ｅ）−２−メチル−４−（２，２，３−トリメチルシクロペンタ−３−エン−１−イル）ブタ−２−エン−１−オール；４−（ｔｅｒｔ−ブチル）シクロヘキシルアセテート；１−シクロヘキシルエチル（Ｅ）−ブタ−２−エノアート；２−（シクロヘキシルオキシ）酢酸アリル；酢酸α−テルピニル；酢酸β−テルピニル；酢酸γ−テルピニル；メチルドデシルエーテル；２，４−ジメチル−４，４ａ，５，９ｂ−テトラヒドロインデノ［１，２−ｄ］［１，３］ジオキシン；イソブタン酸シンナミル；（Ｅ）−２−メチル−４−（２，６，６−トリメチルシクロヘキサ−１−エン−１−イル）ブタ−２−エナール；γ−メチルイオノン；（２，３，６−トリメチルシクロヘキシル）炭酸エチル；（２，３，６−トリメチルシクロヘキシル）炭酸エチル；シトラールジエチルアセタール；ジメトキシシクロデカン；１−（（２Ｓ，３Ｓ）−２，３，８，８−テトラメチル−１，２，３，４，５，６，７，８−オクタヒドロナフタレン−２−イル）エタン−１−オン；オキサシクロヘキサデカン−２−オン；４，６，６，７，８，８−ヘキサメチル−１，３，４，６，７，８−ヘキサヒドロシクロペンタ［ｇ］イソクロメン；エチレンブラシレート；（Ｚ）−２−（（３−（４−（ｔｅｒｔ−ブチル）フェニル）−２−メチルプロピリデン）アミノ）安息香酸メチル；４，７−メタノ−１Ｈ−インデン−５−オール，３ａ，４，５，６，７，７ａ−ヘキサヒドロ−，５−アセテート；セドリルメチルエーテル；ベチベリルアセタート；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；ベンゾフェノン；ファルネソール；トランス，トランス−ファルネソール；３−（３−イソプロピルフェニル）ブタナール；２，６，１０−トリメチルウンデカ−９−エナール；３−（４−（ｔｅｒｔ−ブチル）フェニル）プロパナール；３−（４−イソプロピルフェニル）−２−メチルプロパナール；シトロネラール（ｌ）；シトロネラール（ｄ）；（Ｅ）−４，８−ジメチルデカ−４，９−ジエナール；ピノアセトアルデヒド；３−（４−（ｔｅｒｔ−ブチル）フェニル）−２−メチルプロパナール；シンナムアルデヒド；シトラール；ゲラニアール；メトキシメロナール；ｏ−メトキシシンナムアルデヒド；（Ｅ）−４−（（３ａＳ���７ａＳ）−オクタヒドロ−５Ｈ−４，７−メタノインデン−５−イリデン）ブタナール；メチルオクチルアセトアルデヒド；３−（４−メトキシフェニル）−２−メチルプロパナール；５−メトキシオクタヒドロ−１Ｈ−４，７−メタノインデン−２−カルバルデヒド；イソシクロシトラール；オクタナール；２−ウンデセナール；１０−ウンデセナール；トランス−トランス−２，６−ノナジエナール；トランス−２，シス−６−ノナジエナール；ヘリオトロピン；ヘキシルシンナムアルデヒド；ｐ−メチル−α−ペンチルシンナムアルデヒド；α−メチルシンナムアルデヒド３，４−ジメトキシベンズアルデヒド；ミルテナール；ペリルアルデヒド；マセアル；パルミチン酸メチル；メチルイソオイゲノールおよびこれらの混合物からなる群から選択される、洗浄および／または処理組成物。
【請求項７】
前記製品は、界面活性剤、ビルダー、キレート剤、移染防止剤、分散剤、酵素および酵素安定剤、触媒物質、漂白活性化剤、布地柔軟剤の有効物質、過酸化水素、過酸化水素源、予備形成済み過酸、ポリマー分散剤、粘土汚れ除去／再付着防止剤、増白剤、泡抑制剤、染料、色相染料、香料、香料送達系、構造伸縮性付与剤、柔軟仕上げ剤、担体、屈水性誘発物質、加工助剤、溶媒、顔料、およびこれらの混合物からなる群から選択される補助成分である添加材料を含む、請求項１〜６のいずれか一項に記載の製品。
【請求項８】
悪臭を制御する方法であって、悪臭を含む場所および／または悪臭を発生しそうな場所と、請求項１〜７のいずれか一項に記載の製品からなる群から選択される製品およびその混合物とを接触させることを含む方法。
【請求項９】
前記場所は、布地を含み、前記接触させる工程が、前記布地と、十分な量の出願人の固体消費者製品とを接触させ、布地１ｋｇあたり、合計で悪臭低減材料が少なくとも０．００１ｍｇ、好ましくは、約０．００１ｍｇ〜約３０ｍｇ、さらに好ましくは、約０．１ｍｇ〜約２０ｍｇ、最も好ましくは、約０．２〜約１０ｍｇの濃度の悪臭低減材料を布地に付与することを含む、請求項８に記載の方法。
【発明の詳細な説明】
【技術分野】
【０００１】
本発明は、悪臭低減組成物を含む製品、およびこのような固体消費者製品を製造し、使用する方法に関する。
【背景技術】
【０００２】
無香料または低香料製品は、香料入り商品より自然で、より控え目と考えられる場合があり、消費者に好まれる。悪臭を抑制するための無香料または低香料製品のメーカーは、悪臭を低減するうえで悪臭低減材料またはその他の技術（例えばフィルター）に頼っている。しかし、例えば、アミン系の悪臭（例えば、魚および尿）、チオール系およびスルフィド系の悪臭（例えば、ニンニクおよびタマネギ）、Ｃ２〜Ｃ１２カルボン酸系の悪臭（例えば、身体およびペットの臭い）、インドール系の悪臭（例えば、糞便および臭い息）、短鎖脂肪族アルデヒド系の悪臭（例えば、脂）およびゲオスミン系の悪臭（例えば、カビ／白カビ）のような悪臭を効果的に制御することは困難な場合があり、ある製品が悪臭を著しく減らすのに必要な時間は、悪臭に対する製品の効能について消費者に疑いを抱かせることがある。多くの場合、メーカーは、これら困難な悪臭をマスキングするために芳香香料を取り入れている。
【０００３】
残念ながら、悪臭制御技術は、典型的には、悪臭をもっと強い香りで覆い隠すため、この悪臭制御技術で処理された芳香を放つ場所または芳香を放たない場所の香りを妨害する。従って、現行の悪臭制御技術の限定的な性質は、特に制限されている。従って、必要なことは、香料コミュニティが多くの状況／用途で望ましいレベルの特徴を運ぶことができるような、広範囲の悪臭制御技術である。驚くべきことに、出願人は、感覚細胞への悪臭の到達をブロックすることに加え、望ましい目標を達成するために、悪臭制御技術は、このような感覚細胞が、他の分子（例えば、香り分子）に向かって開いたままでなければならないことを認識した。結果として、このような悪臭低減組成物は、芳香を放つ製品または芳香を放たない製品、このような悪臭制御技術を含む製品で処理された芳香を放つ場所または芳香を放たない場所の香りを過度に妨害しない。
【発明の概要】
【課題を解決するための手段】
【０００４】
本発明は、悪臭低減組成物を含む製品、およびこのような製品を製造し、使用する方法に関する。このような悪臭低減組成物は、このような悪臭低減組成物を含む芳香を放つ製品または芳香を放たない製品、およびこのような製品で処理された芳香を放つ場所または芳香を放たない場所の香りを過度に妨害しない。
【発明を実施するための形態】
【０００５】
本明細書で使用する場合、「ＭＯＲＶ」は、目的材料について計算された悪臭低減値である。材料のＭＯＲＶは、このような材料が、１種類以上の悪臭の検知を減らすか、またはなくしさえする能力を示す。本出願の目的のために、材料のＭＯＲＶは、本出願の試験方法の章に見出される方法に従って計算される。
【０００６】
本明細書で使用する場合、「香料」という用語は、悪臭低減材料を含まない。従って、組成物の香料部分は、香料の組成が決定されたとき、組成物中に見出される任意の悪臭低減材料（例えば、本明細書に記載されるような悪臭低減材料）を含まない。簡単に言うと、ある材料の悪臭低減値「ＭＯＲＶ」が、本特許請求の範囲に引用されるＭＯＲＶの範囲内である場合、このような材料は、この特許請求の範囲の目的のための悪臭低減材料である。
【０００７】
本明細書で使用する場合、「消費者製品」は、布地を洗浄し、処理し、品質を高める固体組成物を意味する。
【０００８】
本明細書で使用する場合、「悪臭」とは、排便にともなう複合臭のようなほとんどの人々にとって一般的に不快であるか不愉快である化合物を意味する。
【０００９】
本願で使用する用語「臭気ブロッキング」は、人間の嗅覚を鈍くすることができる化合物の能力を意味する。
【００１０】
本明細書で使用する場合、用語「ａ」および「ａｎ」は、「少なくとも１つ」を意味する。
【００１１】
本明細書で使用する場合、用語「含む（include）」、「含む（includes）」、および「含んでいる（including）」は、非限定的であることを意味する。
【００１２】
別途指定されない限り、成分または組成物の濃度は全て、当該成分または組成物の活性部分に関するものであり、このような成分または組成物の市販の供給源に存在し得る不純物、例えば、残留溶媒または副生成物は除外される。
【００１３】
全ての百分率および比率は、別途指定されない限り、重量で計算される。全ての百分率および比率は、別途指定されない限り、全組成物を基準にして計算される。
【００１４】
本明細書の全体を通じて与えられる全ての最大数値限定は、それよりも小さい数値限定を、そのようなより小さい数値限定があたかも本明細書に明確に記載されているかのように包含するものと理解すべきである。本明細書の全体を通じて与えられる全ての最小数値限定は、より大きい全ての数値限定を、そのようなより大きい数値限定があたかも本明細書に明確に記載されているかのように包含する。本明細書全体を通して与えられる全ての数値範囲は、そのようなより広い数値範囲内に入るより狭い全ての数値範囲を、そのような狭い数値範囲があたかも全て本明細書に明確に記載されているかのように包含する。
【００１５】
悪臭低減材料
適切な悪臭低減材料の非限定的なセットを以下の表に提示する。使用を簡単にするために、表１〜３のそれぞれの材料は、「番号」に示されたそれぞれの表の列にみられる数識別子が割り当てられる。表４は、表１の部分的なセットであり、表５は、表２の部分的なセットであり、表６は、表３の部分的なセットであり、表４、５および６は、それぞれ表１〜３にみられる数識別子と同じ数識別子を使用する。
【００１６】
【表１】
2017531469.tif 000002
【００１７】
【表２−１】
2017531469.tif 000003
【００１８】
【表２−２】
2017531469.tif 000004
【００１９】
【表２−３】
2017531469.tif 000005
【００２０】
【表２−４】
2017531469.tif 000006
【００２１】
【表２−５】
2017531469.tif 000007
【００２２】
【表２−６】
2017531469.tif 000008
【００２３】
【表２−７】
2017531469.tif 000009
【００２４】
【表２−８】
2017531469.tif 000010
【００２５】
【表２−９】
2017531469.tif 000011
【００２６】
【表２−１０】
2017531469.tif 000012
【００２７】
【表２−１１】
2017531469.tif 000013
【００２８】
【表２−１２】
2017531469.tif 000014
【００２９】
【表２−１３】
2017531469.tif 000015
【００３０】
【表３】
2017531469.tif 000016
【００３１】
【表４−１】
2017531469.tif 000017
【００３２】
【表４−２】
2017531469.tif 000018
【００３３】
【表４−３】
2017531469.tif 000019
【００３４】
【表４−４】
2017531469.tif 000020
【００３５】
【表４−５】
2017531469.tif 000021
【００３６】
【表５−１】
2017531469.tif 000022
【００３７】
【表５−２】
2017531469.tif 000023
【００３８】
【表６】
2017531469.tif 000024
【００３９】
【表７】
2017531469.tif 000025
【００４０】
表１〜６の材料は、以下の１つ以上によって供給することができる。
プレインズボロ、ＮＪ、米国のＦｉｒｍｅｎｉｃｈ  Ｉｎｃ．ニューヨーク：ＮＹのＩｎｔｅｒｎａｔｉｏｎａｌ  Ｆｌａｖｏｒ  ａｎｄ  Ｆｒａｇｒａｎｃｅ  Ｉｎｃ．米国；Ｔａｋａｓａｇｏ  Ｃｏｒｐ．テターボロ、ＮＪ  ＵＳＡ；Ｓｙｍｒｉｓｅ  Ｉｎｃ．、テターボロ、ＮＪ  ＵＳＡ；Ｓｉｇｍａ−Ａｌｄｒｉｃｈ／ＳＡＦＣ  Ｉｎｃ．カールスバッド，ＣＡ  ＵＳＡ；およびＢｅｄｏｕｋｉａｎ  Ｒｅｓｅａｒｃｈ  Ｉｎｃ．ダンベリー，ＣＴ  ＵＳＡ。
【００４１】
上の表１〜６に列挙したそれぞれの材料の実際のＭＯＲＶ値は、以下のとおりである。
【００４２】
【表８−１】
2017531469.tif 000026
【００４３】
【表８−２】
2017531469.tif 000027
【００４４】
【表８−３】
2017531469.tif 000028
【００４５】
【表８−４】
2017531469.tif 000029
【００４６】
【表８−５】
2017531469.tif 000030
【００４７】
【表８−６】
2017531469.tif 000031
【００４８】
【表８−７】
2017531469.tif 000032
【００４９】
【表８−８】
2017531469.tif 000033
【００５０】
【表８−９】
2017531469.tif 000034
【００５１】
【表８−１０】
2017531469.tif 000035
【００５２】
【表８−１１】
2017531469.tif 000036
【００５３】
【表８−１２】
2017531469.tif 000037
【００５４】
【表８−１３】
2017531469.tif 000038
【００５５】
【表８−１４】
2017531469.tif 000039
【００５６】
【表８−１５】
2017531469.tif 000040
【００５７】
固体消費者製品および方法
製品であって、好ましくは、前記製品が、粉末、顆粒、フレーク、棒状物または球状物であり、前記製品が、
（ａ）Ｂｌｏｃｋｅｒ  Ｉｎｄｅｘが３未満、さらに好ましくは、約２．５未満、さらになお好ましくは、約２未満、なおさらに好ましくは、約１未満、最も好ましくは、０であるか、またはＢｌｏｃｋｅｒ  Ｉｎｄｅｘの平均が３〜約０．００１であり、好ましくは、悪臭低減材料の少なくとも一部がカプセル化されている、総量の約０．００１％〜約２０％、好ましくは約０．００５％〜約１０％、さらに好ましくは、約０．０２５％〜約１％、最も好ましくは、約０．０５％〜約０．５％の１〜約３０種類の悪臭低減材料、好ましくは、１〜約２５種類の悪臭低減材料、さらに好ましくは、１〜約１５種類の悪臭低減材料、最も好ましくは、約１〜約１０種類の悪臭低減材料と；
（ｂ）２５℃で固体であり、好ましくは、クレイ、糖類、塩類、シリケート、ゼオライト、クエン酸、マレイン酸、コハク酸、安息香酸、尿素およびポリエチレンオキシドおよびこれらの混合物からなる群から選択され、
好ましくは、
（ｉ）約２０％〜約９５％、さらに好ましくは、約３０％〜約９０％、さらになお好ましくは、約４５％〜約９０％、最も好ましくは、約６０％〜約８８％；または
（ｉｉ）約１％〜約６０％、さらに好ましくは、約２％〜約５０％、さらになお好ましくは、約３％〜約４５％、最も好ましくは、約４％〜約４０％の濃度で存在する、担体と；
（ｃ）場合により、０．５％〜約５０％の酵素に安定なポリマー、好ましくは、ポリアクリレートポリマー、ポリアミンポリマー、アクリレート／マレエートコポリマー、多糖、およびこれらの混合物からなる群から選択され、好ましくは、前記多糖が、カルボキシメチルセルロース、カチオン性ヒドロキシエチルセルロースおよびこれらの混合物からなる群から選択される、酵素に安定なポリマーとを含む、製品
が開示される。
【００５８】
前記製品の一態様において、前記悪臭低減材料は、Ｆｒａｇｒａｎｃｅ  Ｆｉｄｅｌｉｔｙ  Ｉｎｄｅｘが３未満、さらに好ましくは、２．５未満、さらになお好ましくは、２未満、なおさらに好ましくは、１未満、最も好ましくは、０であるか、またはＦｒａｇｒａｎｃｅ  Ｆｉｄｅｌｉｔｙ  Ｉｎｄｅｘの平均が３〜０．００１であるＦｒａｇｒａｎｃｅ  Ｆｉｄｅｌｉｔｙ  Ｉｎｄｅｘを有する。
【００５９】
前記製品の一態様において、前記製品は、香料を含む。
【００６０】
前記製品の一態様において、前記組成物は、悪臭低減組成物と香料の対の重量比が、約１：２０，０００〜約３０００：１、好ましくは、約１：１０，０００〜約１，０００：１、さらに好ましくは、約５，０００：１〜約５００：１、最も好ましくは、約１：１５〜約１：１である。
【００６１】
前記製品の一態様において、前記製品は、ｌｏｇ  Ｐが３より大きく、好ましくは、３より大きいが８未満の１つ以上の悪臭低減材料を含み、好ましくは、１つ以上の悪臭低減材料は、表１の材料１；２；３；７；９；１０；１１；１３；１４；１８；２１；２２；
２３；２５；２８；２９；３０；３１；３２；３３；３５；３６；３８；３９；４７；４８；４９；５０；５２；５７；６２；６３；６４；６７；６８；６９；７１；７４；７５；７６；７７；７８；７９；８０；８３；８５；９１；９２；９３；１００；１０１；１０２；１０３；１０４；１０５；１０９；１１４；１１９；１２０；１２２；１２３；１２８；１３４；１３５；１３７；１４０；１４２；１４５；１４８；１４９；１５２；１５３；１５８；１５９；１６１；１６２；１７４；１７５；１７６；１７７；１７８；１８２；１８３；１８４；１８５；１８６；１８９；１９２；１９５；１９６；１９７；２０６；２０８；２０９；２１０；２１１；２１２；２１５；２２１；２２７；２２８；２２９；２３０；２３１；２３３；２３４；２３８；２４２；２４３；２４４；２４６；２５２；２５３；２６０；２６１；２６３；２６７；２６９；２７１；２７４；２７６；２７７；２８０；２８５；２８９；２９０；２９２；２９３；２９４；２９５；２９６；３００；３０１；３０３；３０７；３１６；３１７；３１８；３２２；３２４；３２５；３２８；３２９；３３０；３３１；３３３；３３４；３３５；３３６；３３８；３３９；３４２；３４３；３４４；３４９；３５２；３５６；３５８；３５９；３６０；３６１；３６２；３６３；３６４；３６８；３６９；３７０；３７１；３７２；３７８；３８１；３８５；３８６；３８８；３９０；３９１；３９７；３９８；４１３；４１４；４１６；４１８；４２１；４２４；４２６；４２８；４２９；４３２；４４１；４４４；４４９；４５３；４５７；４５９；４６１；４６２；４６３；４６５；４６６；４６７；４６８；４７０；４７１；４７３；４７５；４７８；４７９；４８０；４８２；４８４；４８６；４８７；４８８；４９７；４９８；５０１；５０２；５０３；５０５；５１９；５２０；５２１；５２４；５２９；５３２；５３４；５３７；５４１；５４４；５４８；５５０；５５２；５５８；５５９；５６０；５６１；５６２；５６３；５６５；５６６；５６７；５６８；５６９；５７０；５７１；５７２；５７３；５７４；５７７；５７８；５８２；５８４；５８９；５９１；５９２；５９４；５９９；６００；６０１；６０３；６０４；６０６；６０７；６０８；６０９；６１０；６１１；６１３；６１４；６１５；６１６；６１８；６２０；６２１；６２４；６２５；６２６；６２８；６３１；６３２；６３３；６３５；６４４；６５０；６５３；６５９；６６０；６６１；６６３；６７１；６７３；６７４；６７５；６７６；６７７；６７８；６７９；６８０；６８１；６８４；６８６；６９１；６９２；６９３；６９４；６９６；６９７；６９８；７００；７０２；７０４；７０６；７０７；７０８；７０９；７１０；７１１；７１２；７１３；７１４；７１５；７１６；７１７；７１８；７１９；７２０；７２１；７２２；７２３；７２４；７２５；７２６；７２７；７３１；７４１；７４６；７５０；７５２；７５４；７５７；７５８；７６３；７６６；７６９；７７０；７７１；７７４；７７５；７７６；７７８；７８１；７８２；７８８；７９１；８００；８０２；８０４；８０６；８１４；８２１；８２６；８２７；８２８；８３１；８３７；８３９；８４０；８４９；８５０；８５２；８５６；８６６；８６８；８６９；８７０；８７１；８７２；８７３；８７６；８７７；８７８；８７９；８８１；８８４；８８５；８８６；８９０；８９２；８９３；８９４；９０５；９０８；９１２；９１３；９１４；９１６；９１９；９２０；９２２；９２５；９２６；９２７；９３０；９３３；９３９；９４１；９４２；９４３；９４５；９４７；９４８；９５０；９５１；９５３；９５４；９５９；９６５；９６７；９７３；９７８；９８５；９８８；９９８；１０００；１００３；１００６；１００７；１００８；１００９；１０１０；１０１６；１０２２；１０２３；１０２４；１０２５；１０２８；１０２９；１０３１；１０３２；１０３３；１０３５；１０３８；１０４５；１０４６；１０４７；１０５３；１０５７；１０６０；１０６２；１０６３；１０６５；１０６７；１０７０；１０７３；１０７５；１０７７；１０７８；１０８２；１０８９；１０９０；１０９３；１０９５；１０９７；１０９９；１１０２；１１０４；１１０５；１１０７；１１１６；１１２０；１１２１；１１２６；１１２９；１１３１；１１３５；１１３６；１１３７；１１３８；１１４０；１１４２；１１４３；１１４４；１１４５；１１４７；１１４８；１１４９；表２の材料２；２３；１８５；２２７；２３０；２４６；２４８；３４３；３５９；
５６５；６３１；６５９；６７４；６７８；６７９；７１５；７５８；１０２８；１０９７；表３の材料１；９；１２；１３；１９；２０；２１；２４；２５；２７；３２；３８；５４；５５；５９；６４；６８；７１；７２；７９；８１；８３；８５；１００；１０５；１０９；１１１；１１４；１１９；１３３；１３４；１３５；１３７；１４０；１４２；１４７；１４８；１５０；１５１；１５２；１５３；１５４；１５７；１５９；１６２；１７８；１８１；１８９；１９１；１９２；１９５；１９７；２０４；２１１；２２８；２３１；２３３；２３４；２３７；２３８；２４２；２４６；２５２；２６４；２７０；２７３；２７５；２７７；２８３；２８５；２８９；２９０；２９２；２９３；２９５；３００；３０１；３０２；３０６；３０８；３１０；３１２；３１９；３２２；３２５；３３１；３３３；３３４；３３６；３３８；３３９；３４４；３４６；３５４；３５５；３５６；３５８；３６１；３６２；３６３；３７０；３７１；３７２；３７８；３８１；３８５；３８７；３８８；３９０；４１２；４１３；４１８；４２０；４２８；４２９；４３２；４３７；４３８；４４４；４４７；４４８；４５４；４５５；４５７；４６１；４６５；４６７；４７２；４７７；４７８；４７９；４８０；４８１；４８２；４９５；４９６；４９７；５０２；５０３；５０４；５０９；５１０；５１２；５１５；５１７；５１８；５２２；５２５；５２９；５３５；５３６；５３７；５４０；５４１；５４４；５５０；５５７；５５８；５５９；５６０；５６１；５６８；５７１；５７２；５７５；５８９；５９２；５９４；５９９；６００；６０２；６０４；６０９；６１９；６２０；６２５；６２６；６３３；６４１；６４４；６４５；６５０；６５３；６６２；６６７；６７２；６７３；６７５；６７６；６８１；６８６；６８７；６９３；６９７；６９８；７００；７０３；７０４；７０６；７０７；７１６；７１７；７１８；７２２；７２５；７４４；７４５；７４６；７５７；７６９；７７１；７７９；７８２；７９９；８０６；８１９；８２０；８２７；８２８；８３６；８３８；８３９；８４７；８５０；８７５；８７８；８７９；８８０；８８１；８８８；８８９；８９０；８９１；８９３；８９９；９００；９０１；９０３；９０９；９１２；９１４；９２０；９２２；９３０；９３９；９４０；９４１；９４５；９４７；９４８；９５３；９５４；９５８；９５９；９６０；９６５；９６７；９７１；９８６；９８７；９９４；９９５；９９８；１０００；１００１；１００３；１００５；１００８；１００９；１０１０；１０１１；１０１７；１０１８；１０２３；１０３１；１０３２；１０４６；１０４７；１０５１；１０５２；１０５３；１０５４；１０５５；１０５７；１０５８；１０６１；１０６２；１０６３；１０７４；１０７５；１０７６；１０８２；１０８８；１０９３；１０９５；１０９９；１１０２；１１０４；１１０５；１１１５；１１１６；１１２０；１１２７；１１２８；１１３４；１１３５；１１４１；１１４７；１１４８、１１４９、およびこれらの混合物からなる群から選択され、好ましくは、前記悪臭低減材料は、表１の材料１；２；３；７；
９；１０；１１；１３；１４；１８；２１；２２；２３；２５；２８；２９；３０；３１；３２；３３；３５；３６；３８；３９；４７；４８；４９；５０；５２；５７；６２；６３；６４；６７；６８；６９；７１；７４；７５；７６；７７；７８；７９；８０；８３；８５；９１；９２；９３；１００；１０１；１０２；１０３；１０４；１０５；１０９；１１４；１１９；１２０；１２２；１２３；１２８；１３４；１３５；１３７；１４０；１４２；１４５；１４８；１４９；１５２；１５３；１５８；１５９；１６１；１６２；１７４；１７５；１７６；１７７；１７８；１８２；１８３；１８４；１８５；１８６；１８９；１９２；１９５；１９６；１９７；２０６；２０８；２０９；２１０；２１１；２１２；２１５；２２１；２２７；２２８；２２９；２３０；２３１；２３３；２３４；２３８；２４２；２４３；２４４；２４６；２５２；２５３；２６０；２６１；２６３；２６７；２６９；２７１；２７４；２７６；２７７；２８０；２８５；２８９；２９０；２９２；２９３；２９４；２９５；２９６；３００；３０１；３０３；３０７；３１６；３１７；３１８；３２２；３２４；３２５；３２８；３２９；３３０；３３１；３３３；３３４；３３５；３３６；３３８；３３９；３４２；３４３；３４４；３４９；３５２；３５６；３５８；３５９；３６０；３６１；３６２；３６３；３６４；３６８；３６９；３７０；３７１；３７２；３７８；３８１；３８５；３８６；３８８；３９０；３９１；３９７；３９８；４１３；４１４；４１６；４１８；４２１；４２４；４２６；４２８；４２９；４３２；４４１；４４４；４４９；４５３；４５７；４５９；４６１；４６２；４６３；４６５；４６６；４６７；４６８；４７０；４７１；４７３；４７５；４７８；４７９；４８０；４８２；４８４；４８６；４８７；４８８；４９７；４９８；５０１；５０２；５０３；５０５；５１９；５２０；５２１；５２４；５２９；５３２；５３４；５３７；５４１；５４４；５４８；５５０；５５２；５５８；５５９；５６０；５６１；５６２；５６３；５６５；５６６；５６７；５６８；５６９；５７０；５７１；５７２；５７３；５７４；５７７；５７８；５８２；５８４；５８９；５９１；５９２；５９４；５９９；６００；６０１；６０３；６０４；６０６；６０７；６０８；６０９；６１０；６１１；６１３；６１４；６１５；６１６；６１８；６２０；６２１；６２４；６２５；６２６；６２８；６３１；６３２；６３３；６３５；６４４；６５０；６５３；６５９；６６０；６６１；６６３；６７１；６７３；６７４；６７５；６７６；６７７；６７８；６７９；６８０；６８１；６８４；６８６；６９１；６９２；６９３；６９４；６９６；６９７；６９８；７００；７０２；７０４；７０６；７０７；７０８；７０９；７１０；７１１；７１２；７１３；７１４；７１５；７１６；７１７；７１８；７１９；７２０；７２１；７２２；７２３；７２４；７２５；７２６；７２７；７３１；７４１；７４６；７５０；７５２；７５４；７５７；７５８；７６３；７６６；７６９；７７０；７７１；７７４；７７５；７７６；７７８；７８１；７８２；７８８；７９１；８００；８０２；８０４；８０６；８１４；８２１；８２６；８２７；８２８；８３１；８３７；８３９；８４０；８４９；８５０；８５２；８５６；８６６；８６８；８６９；８７０；８７１；８７２；８７３；８７６；８７７；８７８；８７９；８８１；８８４；８８５；８８６；８９０；８９２；８９３；８９４；９０５；９０８；９１２；９１３；９１４；９１６；９１９；９２０；９２２；９２５；９２６；９２７；９３０；９３３；９３９；９４１；９４２；９４３；９４５；９４７；９４８；９５０；９５１；９５３；９５４；９５９；９６５；９６７；９７３；９７８；９８５；９８８；９９８；１０００；１００３；
１００６；１００７；１００８；１００９；１０１０；１０１６；１０２２；１０２３；１０２４；１０２５；１０２８；１０２９；１０３１；１０３２；１０３３；１０３５；１０３８；１０４５；１０４６；１０４７；１０５３；１０５７；１０６０；１０６２；１０６３；１０６５；１０６７；１０７０；１０７３；１０７５；１０７７；１０７８；１０８２；１０８９；１０９０；１０９３；１０９５；１０９７；１０９９；１１０２；１１０４；１１０５；１１０７；１１１６；１１２０；１１２１；１１２６；１１２９；１１３１；１１３５；１１３６；１１３７；１１３８；１１４０；１１４２；１１４３；１１４４；１１４５；１１４７；１１４８；１１４９；表２の材料２；２３；１８５；２２７；２３０；２４６；２４８；３４３；３５９；５６５；６３１；６５９；６７４；６７８；６７９；７１５；７５８；１０２８；１０９７およびこれらの混合物からなる群から選択され、さらに好ましくは、前記悪臭低減材料は、表４の材料７；１４；３９；４８；１８３；２０６；２１２；２１５；２２９；２６０；２６１；３２９；３３５；３６０；４４１；４８４；４８７；４８８；５０１；５６６；５６７；５６９；５７０；５７３；５７４；６０３；６１６；６２１；６２４；６３２；６６３；６８０；６８４；６９４；６９６；７０８；７１２；７１４；７２６；７５０；７７５；７７６；７８８；８０４；８７２；９１９；９２７；９３３；９７８；１００７；１０２２；１０２４；１０２９；１０３５；１０３８；１０６０；１０８９；１１０７；１１２９；１１３１；１１３６；１１３７；１１４０；１１４２；１１４３；１１４４；１１４５；１１４８、１１４９、表５の材料２４８およびこれらの混合物からなる群から選択され、最も好ましくは、前記材料は、表４の材料２６１；６８０；７８８；１１２９、１１４８、１１４９およびこれらの混合物からなる群から選択される。上述の材料は全て、ｌｏｇＰが３以上であるため、洗浄液、特に、井戸の中で堆積する。上述の材料のなかで、さらに好ましいもの、最も好ましいものは、鍵となる全ての悪臭を中和するのに効果的であるため、特に好ましい。
【００６２】
前記製品の一態様において、前記悪臭低減材料は、表１〜３の悪臭低減材料３０２；２８８；５０；１５７；１０１７；８８８；６４；１０５４；８３２；３７５；３９０；７４５；５０４；５０５；１４０；１０１２；４９８；３６２；１０３；３５６；１０７４；９０８；１１２７；４７５；９１８；６８７；６１１；３１７；９；１４１；５５０；６０２；９１３；１００５；５２１；１０；２１５；３７０；３３５；３７８；１１２１；３６０；５６５；１１３６；１１２９；６５５；３６９；１０６５；９１４；７５７；６０１；４７８；８８９；８９１；３５８；９７３；１６２；５５４；５２２；３１２；１２５；２６；４１８；９２；５８６；１０２６；２１８；３１；８２８；８７１；８２９；１０６６；２８７；２６９；７６９；７０１；１１１８；７０；９４６；１４２；１０９；１０８またはこれらの混合物からなる群から選択されない。
【００６３】
前記製品の一態様において、前記製品は、界面活性剤、ビルダー、キレート剤、移染防止剤、分散剤、酵素および酵素安定剤、触媒物質、漂白活性化剤、布地柔軟剤の有効物質、過酸化水素、過酸化水素源、予備形成済み過酸、ポリマー分散剤、粘土汚れ除去／再付着防止剤、増白剤、泡抑制剤、染料、色相染料、香料、香料送達系、構造伸縮性付与剤、柔軟仕上げ剤、担体、屈水性誘発物質、加工助剤、溶媒、顔料、およびこれらの混合物からなる群から選択される補助成分である添加材料を含む。
【００６４】
使用方法
本発明の組成物は、任意の従来の方法で使用してよい。要するに、前記組成物は、従来の方法およびプロセスによって設計および作製される製品と同じように使用してよい。例えば、本発明の組成物を使用して、場所、特に表面または布地を洗浄および／または処理することができる。典型的には、場所の少なくとも一部を、未希釈の形態のまたは洗濯液で希釈された出願人の組成物の態様と接触させ、次いで、前記場所を、場合により、洗浄するか、および／またはすすぐ。本発明の目的に関して、洗浄は、こすり洗いおよび機械的撹拌を含むが、これらに限定されない。布地は、標準的な消費者の使用条件で洗濯することができる任意の布地を含んでよい。洗浄溶媒が水であるとき、水温は、典型的には、約５℃〜約９０℃であり、場所が布地を含むとき、水の布地に対する質量比は、典型的には、約１：１〜約１００：１である。
【００６５】
本発明の組成物は、布地に塗布される液体布地強化剤として使用されてもよく、次いで、布地は、自然乾燥および／または自動乾燥機によって乾燥される。
【００６６】
悪臭を制御する方法であって、悪臭を含む場所および／または悪臭を発生しそうな場所と、本明細書に記載する製品およびその混合物からなる群から選択される製品とを接触させることを含む方法が開示される。
【００６７】
一態様において、前記場所は、布地を含み、前記接触させる工程が、前記布地と、十分な量の出願人の固体消費者製品とを接触させ、布地１ｋｇあたり、合計で悪臭低減材料が少なくとも０．００１ｍｇ、好ましくは、約０．００１ｍｇ〜約３０ｍｇ、さらに好ましくは、約０．１ｍｇ〜約２０ｍｇ、最も好ましくは、約０．２〜約１０ｍｇの濃度の悪臭低減材料を布地に付与することを含む。
【００６８】
補助物質
本発明の目的には必須ではないが、以下に例示する補助剤の非限定的なリストは、本組成物中で使用するのに適しており、例えば、洗浄性能を補助または向上させるために、洗浄される基材の処理のために、または香料、着色剤、染料などを用いる場合のように組成物の審美性を変化させるために、本発明の特定の態様に配合するのが望ましい場合がある。これら追加成分の正確な性質およびその配合濃度は、組成物の物理的形態および前記組成物が使用される布地処理作業の性質に依存する。好適な補助物質としては、限定するものではないが、界面活性剤、ビルダー、キレート剤、移染防止剤、分散剤、酵素および酵素安定剤、触媒物質、漂白活性化剤、過酸化水素、過酸化水素源、予備形成済み過酸、ポリマー分散剤、粘土汚れ除去／再付着防止剤、増白剤、泡抑制剤、染料、色相染料、香料、香料送達系、構造伸縮性付与剤、担体、構造化剤、屈水性誘発物質、加工助剤、溶媒、顔料、および／または布地柔軟剤の有効成分が挙げられる。
【００６９】
上述の通り、補助成分は、本出願人らの組成物には必須ではない。したがって、本出願人らの組成物の特定の態様は、界面活性剤、ビルダー、キレート剤、移染防止剤、分散剤、酵素および酵素安定剤、触媒物質、漂白活性化剤、過酸化水素、過酸化水素源、予備形成過酸、ポリマー分散剤、粘土汚れ除去／再付着防止剤、増白剤、泡抑制剤、染料、色相染料、香料、香料送達系、構造伸縮性付与剤、担体、屈水性誘発物質、加工助剤、溶媒、顔料および／または布地柔軟剤の有効成分といった補助物質のうち、１種以上を含まない。しかしながら、１つ以上の補助剤が存在する場合、かかる１つ以上の補助剤は、以下に詳述されるように存在することができる。
【００７０】
色相染料−液体洗濯洗剤組成物は、色相染料を含んでいてもよい。本発明の洗濯ケア組成物に使用される色相染料は、ポリマー染料または非ポリマー染料、有機顔料または無機顔料、またはこれらの混合物を含んでいてもよい。好ましくは、色相染料は、発色団成分とポリマー成分とを含むポリマー染料を含む。発色団成分は、光を当てると、青、赤、スミレ色、紫、またはこれらの組み合わせの範囲の波長の光を吸収するものであると特徴付けられる。一態様では、発色団成分は、水および／またはメタノール中で最大約５２０ナノメートル〜約６４０ナノメートルの吸収スペクトルを示し、他の態様では、水および／またはメタノール中で約５６０ナノメートル〜約６１０ナノメートルの吸収スペクトルを示す。
【００７１】
任意の適切な発色団を使用してもよいが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジンおよびフタロシアニン染料発色団から選択される。モノアゾ染料およびジアゾ染料の発色団が好ましい場合がある。
【００７２】
色相染料は、少なくとも３つの連続した繰り返し単位の１つ以上に共有結合した発色団を含む染料ポリマーを含んでいてもよい。繰り返し単位自体は、発色団を含む必要がないことを理解すべきである。染料ポリマーは、少なくとも５、または少なくとも１０、または少なくとも２０の連続した繰り返し単位を含んでいてもよい。
【００７３】
繰り返し単位は、有機エステル、例えば、オキシアルキレンオキシおよびポリオキシアルキレンオキシと組み合わせたフェニルジカルボキシレートから誘導されてもよい。繰り返し単位は、アルケン、エポキシド、アジリジン、改質されたセルロースを含む単位を含む炭水化物、例えば、ヒドロキシプロピルセルロース；ヒドロキシプロピルメチルセルロース；ヒドロキシブチルセルロース；およびヒドロキシブチルメチルセルロースまたはこれらの混合物から誘導されてもよい。繰り返し単位は、アルケン、またはエポキシド、またはこれらの混合物から誘導されてもよい。繰り返し単位は、Ｃ２〜Ｃ４アルキレンオキシ基（時に、アルコキシ基と呼ばれる）であってもよく、好ましくは、Ｃ２〜Ｃ４アルキレンオキシドから誘導されてもよい。繰り返し単位は、Ｃ２〜Ｃ４アルコキシ基、好ましくは、エトキシ基であってもよい。
【００７４】
本発明の目的のために、少なくとも３つの連続した繰り返し単位が、ポリマー成分を構築する。ポリマー成分は、発色団基に直接的に、または連結基を介して間接的に共有結合していてもよい。好適なポリマー成分の例は、複数の繰返し単位を有するポリオキシアルキレン鎖を含む。一態様では、ポリマー成分は、２個〜約３０個の繰返し単位、２個〜約２０個の繰返し単位、２個〜約１０個の繰返し単位、さらには約３または４〜約６個の繰返し単位を有するポリオキシアルキレン鎖を含む。ポリオキシアルキレン鎖の非限定例には、エチレンオキシド、プロピレンオキシド、グリシドールオキシド、ブチレンオキシド、およびこれらの混合物が挙げられる。
【００７５】
界面活性剤−本発明に係る組成物は、界面活性剤または界面活性剤系を含んでよく、前記界面活性剤は、非イオン性界面活性剤、アニオン性界面活性剤、カチオン性界面活性剤、両性界面活性剤、双極性界面活性剤、半極性非イオン性界面活性剤、およびこれらの混合物から選択してよい。
【００７６】
界面活性剤は、典型的には、対象組成物の約０．１重量％〜約６０重量％、約１重量％〜約５０重量％、またはさらに約５重量％〜約４０重量％の濃度で存在する。
【００７７】
キレート剤−本明細書における組成物は、キレート剤を含有してよい。適切なキレート剤としては、銅、鉄および／またはマンガンキレート剤、ならびにこれらの混合物が挙げられる。キレート剤を使用する場合、組成物は、対象組成物の約０．１重量％〜約１５重量％、またはさらに約３．０重量％〜約１０重量％のキレート剤を含んでよい。
【００７８】
移染防止剤−本発明の組成物は、１つ以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドンおよびポリビニルイミダゾールまたはこれらの混合物が挙げられるが、これらに限定されない。
【００７９】
本発明の組成物に存在する場合、移染防止剤は、組成物の約０．０００１重量％〜約１０重量％、約０．０１重量％〜約５重量％またはさらに約０．１重量％〜約３重量％の濃度で存在していてもよい。
【００８０】
分散剤−本発明の組成物は、分散剤を含有してもよい。好適な水溶性有機物質としては、ホモポリマーまたはコポリマーの酸またはそれらの塩が挙げられ、この場合、ポリカルボン酸は、互いに２個以下の炭素原子によって分割されている少なくとも２個のカルボキシルラジカルを含む。
【００８１】
香料−分散相は、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、および２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、およびβ−ジヒドロイオノン、リナロール、エチルリナロール、テトラヒドロリナロール、およびジヒドロミルセノールなどの香料からなる群より選択される材料を含んでよい香料を含んでよい。
【００８２】
香料送達技術−本発明の組成物は、処理された基材からの香料の堆積および放出を安定化し、高める１つ以上の香料送達技術を含んでいてもよい。このような香料送達技術を使用し、処理された基材から香料が放出する寿命を長くすることもできる。香料送達技術、特定の香料送達技術を製造する方法、およびこの種の香料送達技術の使用は、米国特許出願公開第２００７／０２７５８６６（Ａ１）号に開示されている。
【００８３】
一態様では、本発明の組成物は、約０．００１％〜約２０％、または約０．０１％〜約１０％、または約０．０５％〜約５％、またはさらに、約０．１％〜約０．５％の香料を含んでいてもよい。一態様では、前記香料送達技術は、香料マイクロカプセル、プロ香料、ポリマー粒子、官能基化されたシリコーン、ポリマー支援型送達、分子支援型送達、繊維支援型送達、アミン支援型送達、シクロデキストリン、デンプンに包まれたアコード（accord）、ゼオライトおよび無機担体、およびこれらの混合物からなる群から選択されてもよい。
【００８４】
一態様では、前記香料送達技術は、壁材料を有する有益剤で少なくとも部分的に包み込むことによって作られる香料マイクロカプセルを含んでいてもよい。前記有益剤は、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、および２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、およびβ−ジヒドロイオノン、リナロール、エチルリナロール、テトラヒドロリナロール、およびジヒドロミルセノールのような香料からなる群から選択される材料を含んでいてもよい。好適な香料剤は、Ｇｉｖａｕｄａｎ  Ｃｏｒｐ．（Ｍｏｕｎｔ  Ｏｌｉｖｅ，Ｎｅｗ  Ｊｅｒｓｅｙ，ＵＳＡ）、Ｉｎｔｅｒｎａｔｉｏｎａｌ  Ｆｌａｖｏｒｓ  ＆  Ｆｒａｇｒａｎｃｅｓ  Ｃｏｒｐ．（Ｓｏｕｔｈ  Ｂｒｕｎｓｗｉｃｋ，Ｎｅｗ  Ｊｅｒｓｅｙ，ＵＳＡ）、またはＱｕｅｓｔ  Ｃｏｒｐ．（Ｎａａｒｄｅｎ，Ｎｅｔｈｅｒｌａｎｄｓ）から入手することができる。一態様では、マイクロカプセルの壁材料は、メラミン、ポリアクリルアミド、シリコーン、シリカ、ポリスチレン、ポリウレア、ポリウレタン、ポリアクリレート系材料、ゼラチン、スチレン無水リンゴ酸、ポリアミド、およびこれらの混合物を含んでいてもよい。一態様では、前記メラミン壁材料は、ホルムアルデヒドで架橋したメラミン、ホルムアルデヒドで架橋したメラミン−ジメトキシエタノール、およびこれらの混合物を含んでいてもよい。一態様では、前記ポリスチレン壁材料は、ジビニルベンゼンで架橋したポリスチレンを含んでいてもよい。一態様では、前記ポリウレア壁材料は、ホルムアミドで架橋した尿素、グルタルアルデヒドで架橋した尿素、およびこれらの混合物を含んでいてもよい。一態様では、上記ポリアクリレート系材料は、メチルメタクリレート／ジメチルアミノメチルメタクリレートから形成されたポリアクリレート、アミンアクリレートおよび／またはメタクリレートと強酸とから形成されたポリアクリレート、カルボン酸アクリレートおよび／またはメタクリレートモノマーと強塩基とから形成されたポリアクリレート、アミンアクリレートおよび／またはメタクリレートモノマーとカルボン酸アクリレートおよび／またはカルボン酸メタクリレートモノマーとから形成されたポリアクリレート、およびこれらの混合物を含んでいてもよい。一態様では、香料マイクロカプセルは、堆積助剤、カチオン性ポリマー、非イオン性ポリマー、アニオン性ポリマー、またはこれらの混合物でコーティングされていてもよい。好適なコーティングは、ポリビニルホルムアルデヒド、部分ヒドロキシル化ポリビニル、ホルムアルデヒド、ポリビニルアミン、ポリエチレンイミン、エトキシル化ポリエチレンイミン、ポリビニルアルコール、ポリアクリレート、およびこれらの組み合わせからなる群から選択されてもよい。一態様では、マイクロカプセルは、香料マイクロカプセルを含んでもよい。一態様では、１種類以上のマイクロカプセル（例えば、異なる有益剤を含む２種類のマイクロカプセル）を使用してもよい。
【００８５】
一態様では、前記香料送達技術は、アミン反応製品（ＡＲＰ）またはチオ反応製品を含んでいてもよい。アミン官能基および／またはチオ官能基が１つ以上のＰＲＭと予備反応して反応生成物を生成することから、「反応性」ポリマー性アミンまたはポリマーチオールという呼び方をすることもできる。典型的には、反応性アミンは、一級および／または二級アミンであり、ポリマーの一部であってもモノマー（非ポリマー）であってもよい。また、このようなＡＲＰは、さらなるＰＲＭと混合されてポリマー支援型送達効果および／またはアミン支援型送達効果を提供することもできる。ポリマー性アミンの非限定的な例としては、ポリエチレンイミン（ＰＥＩ）などのポリアルキルイミン、またはポリビニルアミン（ＰＶＡｍ）に基づくポリマーが挙げられる。モノマー（非ポリマー）アミンの非限定的な例としては、ヒドロキシルアミン（例えば、２−アミノエタノール）およびそのアルキル置換誘導体、ならびに香料族アミン（例えば、アントラニレート）が挙げられる。ＡＲＰは、香料と予め混合しておいてもよく、リーブオン用途またはリンスオフ用途では別個に添加してもよい。別の態様では、例えば、酸素、リンまたはセレンなどの窒素および／または硫黄以外のヘテロ原子を含有する物質をアミン化合物の代わりに使用することができる。さらに別の態様では、前述の代替化合物をアミン化合物と併用してもよい。さらなる別の態様では、１つの分子が、アミン部分と、代替ヘテロ原子部分（例えば、チオール、ホスフィン、およびセレノール）のうちの１つ以上とを含有していてよい。その効果としては、香料の送達が向上すること、ならびに香料の放出制御が挙げられる。好適なＡＲＰならびにその製造方法は、米国特許出願第２００５／０００３９８０（Ａ１）号および米国特許第６，４１３，９２０（Ｂ１）号に見ることができる。
【００８６】
試験方法
混合物、限定されないが、最終製品（例えば、消費者製品）から悪臭低減材料を分離し、ＧＣ−ＭＳおよび／またはＮＭＲを含む分析方法によって同定してもよい。
【００８７】
飽和蒸気圧（ＶＰ）を決定するための試験方法
試験する香料混合物中の各ＰＲＭについて、飽和蒸気圧（ＶＰ）値を計算する。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（トロント、カナダ）から入手可能なＶＰ  Ｃｏｍｐｕｔａｔｉｏｎａｌ  Ｍｏｄｅｌ、バージョン１４．０２（Ｌｉｎｕｘ）を用いて計算され、ｔｏｒｒの単位で表される２５℃でのＶＰ値を与える。ＡＣＤ／実験室の蒸気圧モデルは、ＡＣＤ／実験室モデルの装置の一部である。
【００８８】
オクタノール／水分配係数の対数（ｌｏｇＰ）を決定するための試験方法
試験する香料混合物中の各ＰＲＭについて、オクタノール／水の分配係数のｌｏｇ値（ｌｏｇＰ）を計算する。個々のＰＲＭのｌｏｇＰ値は、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂ）（トロント、カナダ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ）を用いて計算され、無単位のｌｏｇＰ値が得られる。ＡＣＤ／ＬａｂのＣｏｎｓｅｎｓｕｓ  ｌｏｇＰ  Ｃｏｍｐｕｔａｔｉｏｎａｌ  Ｍｏｄｅｌは、ＡＣＤ／実験室モデルの装置の一部である。
【００８９】
分子記述子の作成のための試験方法
本明細書に記載するコンピュータによる値試験方法に関与する計算を行うために、必要な最初の情報は、試験する香料中の各ＰＲＭの属性、香料の割合としての重量％、モル％を含み、香料組成物中の全てのＰＲＭが計算に含まれる。さらに、これらのＰＲＭそれぞれについて、本明細書に記載する分子記述子の作成のための試験方法に従って決定されるように、分子構造、種々のコンピュータによって誘導される分子記述子の値も必要である。
【００９０】
香料混合物または組成物中の各ＰＲＭについて、その分子構造を使用し、種々の分子記述子を計算する。分子構造は、Ａｍｅｒｉｃａｎ  Ｃｈｅｍｉｃａｌ  Ｓｏｃｉｅｔｙ（コロンブス、オハイオ、米国）の一部門であるＣｈｅｍｉｃａｌ  Ａｂｓｔｒａｃｔ  Ｓｅｒｖｉｃｅ（「ＣＡＳ」）によって与えられるグラフィック分子構造図によって決定される。これらの分子構造は、各ＰＲＭのインデックス名またはＣＡＳ番号を探すことによって、ＣＡＳ  Ｃｈｅｍｉｃａｌ  Ｒｅｇｉｓｔｒｙ  Ｓｙｓｔｅｍデータベースから得てもよい。ＰＲＭについて、その試験がＣＡＳ  Ｃｈｅｍｉｃａｌ  Ｒｅｇｉｓｔｒｙ  Ｓｙｓｔｅｍデータベースにまだ列挙されていない場合には、他のデータベースまたは情報源を使用し、その構造を決定してもよい。潜在的に１つより多い異性体が存在するＰＲＭの場合、分子記述子の計算は、ＰＲＭを表すように選択される異性体の１つの分子構造を用いて行われる。異性体の選択は、異性体の分子構造の相対的な伸長量によって決定される。この異性体は、所与のＰＲＭの全ての異性体の中で、ＰＲＭを表すために選択される最も関係がある分子構造を有する異性体である。ＰＲＭの他の潜在的な異性体の構造は、この計算から除外される。最も関係がある異性体の分子構造を、ＰＲＭの濃度と組み合わせ、この濃度は、存在するＰＲＭの全ての異性体の存在を反映している。
【００９１】
分子エディターまたは分子スケッチングソフトウエアプログラム、例えば、ＣｈｅｍＤｒａｗ（ＣａｍｂｒｉｄｇｅＳｏｆｔ／ＰｅｒｋｉｎＥｌｍｅｒ  Ｉｎｃ．，Ｗａｌｔｈａｍ，Ｍａｓｓａｃｈｕｓｅｔｔｓ，Ｕ．Ｓ．Ａ．）を使用し、各ＰＲＭを表す二次元分子構造を複製する。分子構造は、接続していないフラグメント（例えば、対イオンを含まない単一構造）を有する中性種として表されるべきである（四級窒素原子は許容される）。以下に記載するｗｉｎＭｏｌｃｏｎｎプログラムは、適切な数の水素原子を加えることによって、脱プロトン化された官能基を中性形態に変換することができ、対イオンを捨てるだろう。
【００９２】
各ＰＲＭの場合、分子スケッチングソフトウエアを使用し、ＰＲＭの分子構造を記述するファイルを作成する。その後、各ＰＲＭの種々の分子記述子を誘導するために、ＰＲＭの分子構造を記述するファイルは、コンピュータソフトウエアプログラムｗｉｎＭｏｌｃｏｎｎ、バージョン１．０．１．３（Ｈａｌｌ  Ａｓｓｏｃｉａｔｅｓ  Ｃｏｎｓｕｌｔｉｎｇ，Ｑｕｉｎｃｙ，Ｍａｓｓａｃｈｕｓｅｔｔｓ，Ｕ．Ｓ．Ａ．、ｗｗｗ．ｍｏｌｃｏｎｎ．ｃｏｍ）に伝達される。このように、ｗｉｎＭｏｌｃｏｎｎソフトウエアプログラムは、許容範囲の選択肢である構造の記述方法とファイルフォーマットを示す。これらの選択肢としては、ＭＡＣＣＳ  ＳＤＦフォーマット化されたファイル（すなわち、Ｓｔｒｕｃｔｕｒｅ−Ｄａｔａ  Ｆｉｌｅ）；またはＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわち、ＳＭＩＬＥＳストリング構造ラインの記述法）のいずれかが挙げられ、単純なテキストファイルに、「．ｓｍｉ」または「．ｔｘｔ」の拡張子と共に一般的に使用される。ＳＤＦファイルは、マルチラインレコードのフォーマットでそれぞれの分子構造を表し、一方、ＳＭＩＬＥＳ構造のためのｓｙｎｔａｘは、白いスペースが存在しない単一のテキスト列である。ＳＭＩＬＥＳストリングの後の同じ列に構造名または識別子を加え、スペースによって分割することによって、ＳＭＩＬＥＳストリングに構造名または識別子を加えてもよい（例えば、Ｃ１＝ＣＣ＝ＣＣ＝Ｃ１ベンゼン）。
【００９３】
ｗｉｎＭｏｌｃｏｎｎソフトウエアプログラムを使用し、各ＰＲＭについて多くの分子記述子を作成し、次いで、これを表のフォーマットで出力する。その後、ｗｉｎＭｏｌｃｏｎｎによって誘導される具体的な分子識別子を、各ＰＲＭについて、飽和蒸気圧（ＶＰ）；沸点（ＢＰ）；オクタノール／水分配係数の対数（ｌｏｇＰ）；臭気検出閾値（ＯＤＴ）；悪臭低減値（ＭＯＲＶ）；および／または普遍的な悪臭低減値（Ｕｎｉｖｅｒｓａｌ  ＭＯＲＶ）のような値を計算するために、種々のコンピュータモデル試験方法のために入力として（すなわち、数式の変数項として）使用する。このモデルの試験法の計算に使用される分子記述子のラベルは、ｗｉｎＭｏｌｃｏｎｎプログラムによって報告されるのと同じラベルであり、その記載および定義は、ｗｉｎＭｏｌｃｏｎｎの書籍に列挙されるだろう。以下は、ｗｉｎＭｏｌｃｏｎｎソフトウエアプログラムをどのように実行し、組成物中の各ＰＲＭの必要な分子構造記述子を作成するのかについての一般的な記載である。
【００９４】
ｗｉｎＭｏｌｃｏｎｎを用いた分子構造記述子の計算。
（１）ＭＡＣＣＳ  Ｓｔｒｕｃｔｕｒｅ−Ｄａｔａ  Ｆｉｌｅ（ＳＤＦファイルまたはＳＭＩＬＥＳファイルとも呼ばれる）の形態で、１つ以上の香料成分の分子構造をアセンブリングする。
（２）バージョン１．０．１．３のｗｉｎＭｏｌｃｏｎｎプログラムを用い、適切なコンピュータで実施し、上述のＳＤＦファイルまたはＳＭＩＬＥＳファイルを入力として用い、このプログラムから入手可能な分子記述子全体を計算する。
ａ．ｗｉｎＭｏｌｃｏｎｎの出力は、ＡＳＣＩＩテキストファイルの形態であり、典型的には、スペース区切りされており、入力ファイルのそれぞれの構造について、第１の列に構造識別子を含み、残りの列にそれぞれの分子記述子を含んでいる。
（３）スプレッドシートソフトウエアプログラムまたはある種の他の適切な技術を用い、テキストファイルを列に分ける。分子記述子のラベルは、得られた表の第１列にみつかる。
（４）分子記述子のラベルによって特定され、それぞれのモデルに必要な入力に対応する記述子の列を発見し、抽出する。
ａ．ｗｉｎＭｏｌｃｏｎｎ分子記述子のラベルは、ケースセンシティブであることを注記しておく。
【００９５】
ＭＯＲＶおよびＵｎｉｖｅｒｓａｌ  ＭＯＲＶの計算
１）入力分子記述子の値は、以下の４つの式において、上の方法によって決定されるような値である。
（ａ）ＭＯＲＶ＝−８．５０９６＋２．８５９７×（ｄｘｐ９）＋１．１２５３×（ｋｎｏｔｐｖ）−０．３４４８４×（ｅ１Ｃ２Ｏ２）−０．０００４６２３１×（ｉｄｗ）＋３．３５０９×（ｉｄｃｂａｒ）＋０．１１１５８×（ｎ２ｐａｇ２２）
（ｂ）ＭＯＲＶ＝−５．２９１７＋２．１７４１×（ｄｘｖｐ５）−２．６５９５×（ｄｘｖｐ８）＋０．４５２９７×（ｅ１Ｃ２Ｃ２ｄ）−０．６２０２×（ｃ１Ｃ２Ｏ２）＋１．３５４２×（ＣｄＣＨ２）＋０．６８１０５×（ＣａａｓＣ）＋１．７１２９×（ｉｄｃｂａｒ）
（ｃ）ＭＯＲＶ＝−０．００３５＋０．８０２８×（ＳＨＣｓａｔｕ）＋２．１６７３×（ｘｖｐ７）−１．３５０７×（ｃ１Ｃ１Ｃ３ｄ）＋０．６１４９６×（ｃ１Ｃ１Ｏ２）＋０．００４０３×（ｉｄｃ）−０．２３２８６×（ｎｄ２）
（ｄ）ＭＯＲＶ＝−０．９９２６〜０．０３８８２×（ＳｄＯ）＋０．１８６９×（Ｓｓｐ３ＯＨ）＋２．１８４７×（ｘｐ７）＋０．３４３４４×（ｅ１Ｃ３Ｏ２）−０．４５７６７×（ｃ１Ｃ２Ｃ３）＋０．７６８４×（ＣＫｅｔｏｎｅ）
式（ａ）は、悪臭であるトランス−３−メチル−２−ヘキセン酸（カルボン酸系の悪臭）を減らすことにおける材料の有効性に関係する。
式（ｂ）は、悪臭であるトリメチルアミン（アミン系の悪臭）を減らすことにおける材料の有効性に関係する。
式（ｃ）は、悪臭である３−メルカプト−３−メチルヘキサン−１−オール（チオール系の悪臭）を減らすことにおける材料の有効性に関係する。
式（ｄ）は、悪臭であるスカトール（インドール系の悪臭）を減らすことにおける材料の有効性に関係する。
２）本明細書の目的のために、材料のＭＯＲＶは、式（１）（ａ）〜（１）（ｄ）からの最も高いＭＯＲＶ値である。
３）上の式（１）（ａ）〜（１）（ｄ）からの全てのＭＯＲＶ値が０．５より大きい場合、その材料は、Ｕｎｉｖｅｒｓａｌ  ＭＯＲＶを有する。
【００９６】
悪臭低減化合物にＦｒａｇｒａｎｃｅ  Ｆｉｄｅｌｉｔｙ  Ｉｎｄｅｘ（ＦＦＩ）およびＢｌｏｃｋｅｒ  Ｉｎｄｅｘ（ＢＩ）を割り当てるための方法
本発明の消費者製品で使用するのに適したブロッカー材料は、香りの検知を妨害せずに悪臭を減らすという能力について選択される。材料の選択は、臭気の強さをランク付けするための２つの参照スケールから試験サンプル材料に２つの指数を割り当てることによって行われる。この２つの参照スケールは、Ｆｒａｇｒａｎｃｅ  Ｆｉｄｅｌｉｔｙ  Ｉｎｄｅｘ（ＦＦＩ）スケールとＢｌｏｃｋｅｒ  Ｉｎｄｅｘ  （ＢＩ）スケールである。ＦＦＩは、試験サンプル材料が、別の香料と合わせたときに緩衝し得る検知可能な臭気を付与する能力をランク分けしており、ＢＩは、試験サンプル材料が悪臭の検知を減らす能力をランク分けしている。ＦＦＩおよびＢＩの参照スケールについて、試験サンプルに指数を割り当てるための２つの方法を以下に与える。
【００９７】
試験サンプルにＦＦＩを割り当てるための方法
ＦＦＩ参照スケールについて、試験サンプルにＦＦＩを割り当てるための方法の第１の工程は、ＦＦＩ参照見本を作成することである。このスケールのための見本は、きれいな布地見本を既知の量の既知の濃度のエチルバニリン溶液で処理することによって作られる。この試験のための布地見本は、ＥＭＣからＰＣ５０／５０として注文される白いポリコットン編み地（１０センチメートル×１０センチメートル（４インチ×４インチ））の見本である。供給業者は、最初に見本を作成するように指示され、この作成は、香料を含まない潜在で２回洗浄し、３回すすぐことを含む。
【００９８】
ＦＦＩ参照見本の製造
５０％／５０％  ＥｔＯＨ／水を希釈剤として用い、エチルバニリンのを、２５ｐｐｍ、１２０ｐｐｍ、１０００ｐｐｍの３種類の濃度の溶液を製造する。３種類の溶液１３μＬをそれぞれピペットできれいな見本の中央に置き、見本の中央部に直径約１ｃｍの溶液を得る。これにより、見本にピペットで置かれた溶液の濃度に基づき、３種類の異なる臭気レベルの官能スケールを作成する。換気フードの中で３０分間乾燥させた後、見本をアルミホイル箔で包み、処理した見本に臭気が混入するのを防ぐ。きれいな未処理の見本も、ＦＦＩスケールの臭気強度について、最も低い参照固定点として含まれる。ＦＦＩ参照スケール見本は、０．５〜１２時間以内に使用し、１２時間後には廃棄すべきである。グレーダーが試験サンプルを評価するとき、見本をスケール固定点として使用し、表７に示されるようなＦｒａｇｒａｎｃｅ  Ｆｉｄｅｌｉｔｙ  Ｉｎｄｅｘ（ＦＦＩ）を割り当てる。
【００９９】
少なくとも４の香気判定者／専門的なグレーダーを使用し、ＦＦＩスケールにおいて、エチルバニリン見本をランク分けする。香気判定者／専門的なグレーダーは、スケールに対する十分な識別能力を示すことが必要である。香気判定者／専門的なグレーダーは、０〜３のスケールに従って、見本をランク分けする。表７に示されるように、パネルは、見本間に統計的な差を示さなければならない。
【０１００】
【表９】
2017531469.tif 000041
【０１０１】
専門的なグレーダーは、４つの見本のうち、２．５の全範囲で、許容範囲で識別しなければならない。表１のグレーダー２は、わずか２の範囲しかないため、パネルから除外する。専門的なグレーダーのパネルは、スケールの中で見本を統計学的に識別する能力も示さなければならない。
【０１０２】
【表１０】
2017531469.tif 000042
【０１０３】
参照見本は、ＦＦＩ参照スケールについて、０、１、２および３のＦＦＩを表す（表９）。専門的なグレーダーは、それぞれ、０（最も低い臭気強度）から開始し、３（最も高い臭気強度）で終わるように臭いをかぐことによって、ＦＦＩ参照見本の臭気の強度を自分で習得すべきである。試験サンプル材料によって見本が処理される前に、この作業を行うべきである。
【０１０４】
【表１１】
2017531469.tif 000043
【０１０５】
試験材料で処理された見本の製造
きれいな見本を１３μＬの既知の濃度の試験サンプル材料で処理し、きれいな見本の上に約１ｃｍの溶液を得る。参照見本と同様に、試験サンプル材料見本を換気フードの中で３０分間乾燥させ、次いで、汚染を防ぐためにアルミニウム箔で包む。試験材料見本およびＦＦＩ参照見本は、互いに２時間以内に製造すべきである。試験材料見本は、０．５〜１２時間以内に使用し、１２時間後には廃棄しなければならない。
【０１０６】
試験材料へのＦＦＩの割り当て
少なくとも２の香気判定者／専門的なグレーダーを用い、試験サンプルにＦＦＩグレードを割り当てる。香気判定者／専門的なグレーダーは、見本を、鼻の中央部を覆うように鼻から２．５センチメートル（１インチ）の位置に保持し、試験サンプルを布地の上にピペットで置くことによって試験サンプル見本の臭いをかぎ、次いで、ＦＦＩ参照スケール固定見本を参照として使用し、試験サンプルにＦＦＩグレードを割り当てる。試験サンプル見本に、表９に示されるＦＦＩスケールについて、ＦＦＩグレードまたはいくつかの数を割り当てる。試験サンプル材料が、３より大きなグレードに割り当てられる場合、その試験材料は、ブロッカー材料ではなく、または、もっと低い濃度で悪臭ブロッカー機能を有するかどうかを決定するために、材料濃度を下げ、再評価する必要がある。
【０１０７】
試験サンプルにＢＩを割り当てるための方法
ＢＩ参照スケールについて、試験サンプルにＢＩを割り当てるための方法の第１の工程は、ＢＩ参照見本を作成することである。このスケールのための見本は、きれいな布地見本を既知の量の既知の濃度のイソ吉草酸溶液で処理することによって作られる。この試験のための布地見本は、ＥＭＣからＰＣ  ５０／５０として注文される白いポリコットン編み地（１０センチメートル×１０センチメートル（４インチ×４インチ））の見本である。供給業者は、最初に見本を作成するように指示され、この作成は、香料を含まない潜在で２回洗浄し、３回すすぐことを含む。
【０１０８】
ＢＩ参照見本の製造
５０％／５０％のＥｔＯＨ／水を希釈剤として用い、０．０８％イソ吉草酸の１種類の溶液を製造する。ＢＩスケールは、悪臭を塗布していない１つのきれいな見本を含む。３種類の他の見本は、それぞれ、異なる体積の０．０８％イソ吉草酸が塗布される。１つのきれいな見本には、２μＬの０．０８％イソ吉草酸溶液をピペットで置き、次の見本には５μＬの０．０８％イソ吉草酸溶液をピペットで置き、最後のきれいな見本には、２０μＬのイソ吉草酸をピペットで置く。これらの溶液は、見本の中央部にピペットで置かれる。これにより、見本にピペットで置かれた０．０８％イソ吉草酸溶液の体積に基づき、３種類の異なる臭気レベルの官能スケールを作成する。換気フードの中で３０分間乾燥させた後、見本をアルミホイル箔で包み、処理した見本に臭気が混入するのを防ぐ。きれいな未処理の見本も、ＢＩスケールの臭気強度について、最も低い参照固定点として含まれる。ＢＩ参照スケール見本は、０．５〜１２時間以内に使用し、１２時間後には廃棄すべきである。グレーダーが試験サンプルを評価するとき、見本をスケール固定点として使用し、表１２に示されるようなＢｌｏｃｋｅｒ  Ｉｎｄｅｘ（ＢＩ）を割り当てる。
【０１０９】
少なくとも４の香気判定者／専門的なグレーダーを使用し、ＢＩスケールにおいて、イソ吉草酸見本をランク分けする。香気判定者／専門的なグレーダーは、スケールに対する十分な識別能力を示すことが必要である。香気判定者／専門的なグレーダーは、０〜３のスケールに従って、見本をランク分けする。表１０に示されるように、グレーダーのパネルは、見本間に統計的な差を示さなければならない。
【０１１０】
【表１２】
2017531469.tif 000044
【０１１１】
専門的なグレーダーは、４つの見本のうち、２．５の全範囲で、許容範囲で識別しなければならない。専門的なグレーダーのパネルは、スケールの中で見本を統計学的に識別する能力も示さなければならない。専門的なグレーダー２は、見本間を識別する能力を示さず、パネルから除外される（表１１を参照）。
【０１１２】
【表１３】
2017531469.tif 000045
【０１１３】
参照見本は、ＢＩ参照スケールについて、０、１、２および３のＢＩを表す（表１２）。専門的なグレーダーは、それぞれ、０（最も低い臭気強度）から開始し、３（最も高い臭気強度）で終わるように臭いをかぐことによって、ＢＩ参照見本の臭気の強度を自分で習得すべきである。このことは、試験材料で見本が処理される前に行われるべきである。
【０１１４】
【表１４】
2017531469.tif 000046
【０１１５】
悪臭見本を製造し、試験材料で処理
ＢＩを評価するために、試験材料を悪臭のする見本に適用し、試験材料の悪臭をどのようにブロックするかを決定する。悪臭のついた見本は、きれいな見本を２０μＬの０．０８％イソ吉草酸溶液で処理することによって作られる。イソ吉草酸で処理された悪臭のついた見本を換気フード中、３０分間乾燥させる。悪臭のついた見本を乾燥させた後、既知の濃度の試験材料溶液（１ｐｐｍ〜１００ｐｐｍ）を、悪臭のついた見本にピペットで置く。イソ吉草酸溶液を適用し、直径約１ｃｍのスポットを作った場所の上から試験材料溶液を適用する。ＢＩ参照見本と同様に、イソ吉草酸＋試験材料見本を換気フードの中で３０分間乾燥させ、次いで、汚染を防ぐためにアルミニウム箔で包む。イソ吉草酸＋試験材料の見本およびＢＩ参照見本は、互いに２時間以内に製造すべきである。イソ吉草酸＋試験材料見本は、参照見本と同様に１〜１２時間で使用しなければならない。ＢＩを決定するために、時には、試験材料を約１〜約１００ｐｐｍのいくつかのレベルで評価する必要がある。
【０１１６】
試験材料へのＢＩの割り当て
少なくとも２の香気判定者／専門的なグレーダーを用い、試験サンプルにＢＩグレードを割り当てる。専門的なグレーダーは、見本を、鼻の中央部を覆うように鼻から２．５センチメートル（１インチ）の位置に保持し、試験サンプルを布地の上にピペットで置くことによってイソ吉草酸／試験材料見本の臭いをかぎ、次いで、ＢＩ参照スケール固定見本を参照として使用し、イソ吉草酸／試験材料見本にＢＩグレードを割り当てる。試験サンプル見本に、表のＢＩスケールについて、ＢＩグレードまたはいくつかの数を割り当てる。イソ吉草酸＋試験材料見本の周期がＢＩ参照スケールで３より大きい場合には、この材料がブロッカーではなく、ブロッカー機能を達成するために、試験材料の濃度を下げる必要があることを示す。
【０１１７】
上述の内容に基づいて、ＦＦＩおよびＢＩグレードを有する悪臭低減化合物
【０１１８】
【表１５】
2017531469.tif 000047
【０１１９】
低い濃度で優れた性能を有する悪臭制御化合物
悪臭制御化合物が、低い濃度で優れた悪臭制御を与えるという好ましい挙動の非限定例を以下にいくつか示す。これらの非限定的なデータは、悪臭がブロックされ、マスキングされているのではないさらなる匹敵するデータを与える。
【０１２０】
【表１６】
2017531469.tif 000048
【０１２１】
低い濃度での悪臭低減化合物の再試験
以下の実施例は、悪臭制御化合物が高濃度で臭気ブロッキングを示すことができなかった場合（ＢＩ＞２．５）に、もっと低い濃度で合格するかどうかを再試験すべきであることを示す。
【０１２２】
【表１７】
2017531469.tif 000049
【０１２３】
実施例１悪臭低減化合物を含む組成物
本発明において、嗅覚によって気づくことができるようになる前に、ブレンドは、もっと割合が高い生成物の組成物で有用であるため、ブレンドは、もっと強力な悪臭低減を可能にする。以下は、悪臭低減化合物の非限定例である。
【０１２４】
【表１８】
2017531469.tif 000050
【０１２５】
実施例２悪臭低減化合物を含む組成物
【０１２６】
【表１９】
2017531469.tif 000051
【０１２７】
実施例３悪臭低減組成物
【０１２８】
【表２０】
2017531469.tif 000052
【０１２９】
実施例４悪臭低減材料を含む自由に流動する粒子
悪臭低減材料を含む自由に流動する粒子製品および／または遊離した組成物またはマイクロカプセル中の組成物、またはこれらの組み合わせ。以下の表は、香料を含まず、マイクロカプセルの状態の組み合わせ、または悪臭低減材料および／または組成物との上述の組み合わせとこれらとの組み合わせも例示する。この表は、香りがほとんどしないか、またはまったくしない、本質的に「香りを含まない」製品を与える、悪臭低減材料および／または組成物を遊離状態で、マイクロカプセルの状態での組成物、およびその組み合わせで含む組成物も例示する。以下の例は、少なくとも１つの悪臭低減化合物または材料を遊離状態またはマイクロカプセルの状態で含む。
【０１３０】
【表２１】
2017531469.tif 000053
（１）ＰＥＧ
（２）クレイ
（３）尿素
（４）多糖、ほとんどがデンプン、改質されていないデンプン、デンプン誘導体、酸で改質されたデンプンおよびカッパカラゲナン
（５）ゼオライト
（６）デンプン／ゼオライト−ＳＥＡ
（７）金属酸化物−非限定例−ＴｉＯ２、ＺｎＯ、ＭｎＯ
（８）金属触媒
（９）乳伯剤
（１０）送達系は、ポリマー支援型送達、分子支援型送達、シクロデキストリン送達、デンプンに包まれた送達、ゼオライトおよび／または無機送達系を含んでいてもよい。
【０１３１】
実施例５悪臭低減材料を含む、スプレー乾燥した洗濯洗剤粉末組成物およびその製造プロセス
実施例１〜３に示す組成物に係る悪臭低減組成物を用いて調製した、スプレー乾燥した洗濯洗剤粉末組成物の一例。
【０１３２】
【表２２】
2017531469.tif 000054
１）送達系は、ポリマー支援型送達、分子支援型送達、シクロデキストリン送達、デンプンに包まれた送達、ゼオライトおよび／または無機送達系を含んでいてもよい。
【０１３３】
スプレー乾燥した洗濯洗剤粉末の調製
上述の組成を有する、含水率が３４．０％の水性スラリーを調製する。上述のものに液体形態で加える成分を７０℃まで加熱し、スラリーの温度を決して７０℃未満にしない。調製終了時に、水性スラリーを８０℃まで加熱し、加圧（５×１０６Ｎｍ−２）下で、空気入口温度２９０℃で向流スプレー乾燥塔に圧送する。水性スラリーを噴霧し、噴霧したスラリーを乾燥させ、固体混合物を得て、次いで、これを冷却し、ふるい分けし、粒径が大きな（＞１．８ｍｍ）材料を除去し、自由に流動するスプレー乾燥した粉末を得る。微細な材料（＜０．１５ｍｍ）は、スプレー乾燥塔に排気空気を排出することによって取り出し、塔の後ろの格納システムに集める。スプレー乾燥した粉末は、含水量が２．０重量％、バルク密度が３１０ｇ／Ｌであり、スプレー乾燥した粉末の９０重量％より多くが１５０〜７１０マイクロメートルの粒径を有する粒度分布を有していた。スプレー乾燥した粉末Ａの組成を上の表に列挙する。香料および悪臭低減組成物を、スプレー乾燥手順の後に組成物に噴霧する。
【０１３４】
上述の組成を有する、含水率が４２．０％の水性スラリーｂを調製する。上述のものに液体形態で加える成分を７０℃まで加熱し、スラリーの温度を決して７０℃未満にしない。調製終了時に、水性スラリーを８５℃まで加熱し、加圧（６．５５×１０６Ｎｍ−２）下で、空気入口温度２７５℃で向流スプレー乾燥塔に圧送する。水性スラリーを噴霧し、噴霧したスラリーを乾燥させ、固体混合物を得て、次いで、これを冷却し、ふるい分けし、粒径が大きな（＞１．８ｍｍ）材料を除去し、自由に流動するスプレー乾燥した粉末を得る。微細な材料（＜０．１５ｍｍ）は、スプレー乾燥塔に排気空気を排出することによって取り出し、塔の後ろの格納システムに集める。スプレー乾燥した粉末は、含水量が３．０重量％、バルク密度が２５０ｇ／Ｌであり、スプレー乾燥した粉末の９０重量％より多くが１５０〜７１０マイクロメートルの粒径を有する粒度分布を有していた。スプレー乾燥した粉末Ｂの組成を上の表に列挙する。香料および悪臭低減組成物を、スプレー乾燥手順の後に組成物に噴霧する。
【０１３５】
本明細書で開示する寸法および値は、列挙された正確な数値に厳密に限られるとして理解されるべきではない。むしろ、特に断らないかぎり、そのような各寸法は、記載された値およびその値の周辺の機能的に同等の範囲の両方を意味するものとする。例えば、「４０ｍｍ」として開示される寸法は、「約４０ｍｍ」を意味することを意図する。
【０１３６】
あらゆる相互参照または関連特許若しくは関連出願を含む、本明細書に引用される全ての文献は、明確に除外ないしは別の方法で限定されない限り、参照によりその全体が本明細書に組み込まれる。いずれの文献の引用も、その文献が本願で開示または特許請求される全ての発明に対する先行技術であることを認めるものではなく、またはその文献が単独で、あるいは任意のその他の参照文献との任意の組み合わせにおいて、かかる発明のいずれかを参照、教示、示唆または開示することを認めるものでもない。さらに、本文書における用語の任意の意味または定義が、参照することによって組み込まれた文書内の同じ用語の意味または定義と競合する程度に、本文書におけるその用語に与えられた意味または定義が適用されるものとする。
【０１３７】
以上、本発明の特定の諸実施形態を図示、説明したが、本発明の趣旨および範囲から逸脱することなく他の様々な変更および改変を行いうる点は当業者には自明であろう。したがって、本発明の範囲内にあるそのような全ての変更および修正が、添付の特許請求の範囲に網羅されるものとする。
【国際調査報告】
2017531469.tif 000055
2017531469.tif 000056
2017531469.tif 000057
2017531469.tif 000058